(57)【特許請求の範囲】
【請求項１】
遊技中に第１事象が生じたことを契機として、第１の抽選要素及び第１の当選種類決定要素をそれぞれ取得する第１の要素取得手段と、
遊技中に前記第１事象とは別の第２事象が生じたことを契機として、第２の抽選要素及び第２の当選種類決定要素をそれぞれ取得する第２の要素取得手段と、
前記第１の要素取得手段により取得された前記第１の抽選要素及び前記第１の当選種類決定要素を一組の抽選情報にした状態で、この抽選情報の組を所定の上限数まで記憶可能な容量を有した第１の記憶領域と、
前記第２の要素取得手段により取得された前記第２の抽選要素及び前記第２の当選種類決定要素を一組の抽選情報にした状態で、この抽選情報の組を所定の上限数まで記憶可能な容量を有した第２の記憶領域と、
遊技中に遊技者の利益に関わる内部抽選を実行するべき条件が未だ満たされていない状態で前記第１事象又は第２事象が発生すると、前記第１又は第２の記憶領域に対して前記抽選情報の組をそれぞれ前記上限数に達するまで記憶させる保留記憶手段と、
前記第１又は第２の記憶手段に前記抽選情報が記憶されている状態で前記内部抽選を実行するべき条件が満たされると、前記第１又は第２の記憶領域に記憶された一組の前記抽選情報を所定の共通記憶領域に移し替えて記憶させる記憶移行手段と、
前記記憶移行手段により一組の前記抽選情報が前記共通記憶領域に移し替えられるのに際して、その移し替えられる一組の前記抽選情報が少なくとも前記第１又は第２の抽選要素のいずれを含むものであるかを表す抽選要素識別情報を生成した上で、この抽選要素識別情報を前記共通記憶領域内に合わせて記憶させる情報記憶手段と、
前記記憶移行手段により前記共通記憶領域に移し替えられた一組の前記抽選情報及び前記情報記憶手段により前記共通記憶領域内に記憶された前記抽選要素識別情報を用いて前記内部抽選を実行する抽選実行手段と、
前記内部抽選が行われると、そのとき用いられた前記抽選情報に含まれている前記第１又は第２の抽選要素にそれぞれ対応した第１図柄又は第２図柄を変動表示させた後、前記内部抽選の結果を表す態様で前記第１又は第２図柄を停止表示させる図柄表示手段と
を備えたことを特徴とする遊技機。
【請求項２】
遊技中に第１事象が生じたことを契機として、第１の抽選要素及び第１の当選種類決定要素をそれぞれ取得する第１の要素取得手段と、
遊技中に前記第１事象とは別の第２事象が生じたことを契機として、第２の抽選要素及び第２の当選種類決定要素をそれぞれ取得する第２の要素取得手段と、
前記第１の要素取得手段により取得された前記第１の抽選要素及び前記第１の当選種類決定要素を一組の抽選情報にした状態で、この抽選情報の組を所定の上限数まで記憶可能な容量を有した第１の記憶領域と、
前記第２の要素取得手段により取得された前記第２の抽選要素及び前記第２の当選種類決定要素を一組の抽選情報にした状態で、この抽選情報の組を所定の上限数まで記憶可能な容量を有した第２の記憶領域と、
遊技中に遊技者の利益に関わる内部抽選を実行するべき条件が未だ満たされていない状態で前記第１事象又は第２事象が発生すると、前記第１又は第２の記憶領域に対して前記抽選情報の組をそれぞれ前記上限数に達するまで記憶させる保留記憶手段と、
前記第１又は第２の記憶手段に前記抽選情報が記憶されている状態で前記内部抽選を実行するべき条件が満たされると、前記第１又は第２の記憶領域に記憶された一組の前記抽選情報を所定の共通記憶領域に移し替えて記憶させる記憶移行手段と、
前記記憶移行手段により一組の前記抽選情報が前記共通記憶領域に移し替えられるのに際して、その移し替えられる一組の前記抽選情報が少なくとも前記第１又は第２の抽選要素のいずれを含むものであるかを表す抽選要素識別情報を生成した上で、この抽選要素識別情報を前記第１の記憶領域、前記第２の記憶領域及び前記共通記憶領域とは別の記憶素子であるプロセッサ用のレジスタに記憶させる情報記憶手段と、
前記記憶移行手段により前記共通記憶領域に移し替えられた一組の前記抽選情報及び前記情報記憶手段により前記レジスタに記憶された前記抽選要素識別情報を用いて前記内部抽選を実行する抽選実行手段と、
前記内部抽選が行われると、そのとき用いられた前記抽選情報に含まれている前記第１又は第２の抽選要素にそれぞれ対応した第１図柄又は第２図柄を変動表示させた後、前記内部抽選の結果を表す態様で前記第１又は第２図柄を停止表示させる図柄表示手段と
を備えたことを特徴とする遊技機。
【請求項３】
請求項１又は２に記載の遊技機において、
前記図柄表示手段により特定の当選態様で前記第１又は第２図柄が停止表示されると、通常とは異なる特別な条件が適用された特別遊技を実行する特別遊技実行手段をさらに備え、
前記特別遊技実行手段は、
前記第１の抽選要素を用いた前記内部抽選で当選した場合に前記特別遊技中に遊技者が享受できる利益よりも、前記第２の抽選要素を用いた前記内部抽選で当選した場合に前記特別遊技中に遊技者が享受できる利益を相対的に大きく設定することを特徴とする遊技機。
【請求項４】
請求項３に記載の遊技機において、
前記第１及び第２の記憶領域に記憶された前記抽選情報の組数を記憶数としてそれぞれ個別に計数する記憶数カウント手段をさらに備え、
前記記憶移行手段は、
前記記憶数カウント手段により前記第１及び第２の記憶領域の両方について１以上の記憶数が計数されている場合は前記第１の記憶領域よりも前記第２の記憶領域から優先的に前記抽選情報を移行させ、一方、前記第１又は第２の記憶領域のいずれかだけについて１以上の記憶数が計数されている場合は、その記憶数を有する前記第１又は第２の記憶領域から前記抽選情報を移行させることを特徴とする遊技機。
【請求項５】
請求項３又は４に記載の遊技機において、
前記内部抽選手段は、
前記第１又は第２の抽選要素を用いて当選又は非当選のいずれに該当するかを決定し、
当選に該当すると決定した場合、前記第１又は第２の当選種類決定要素を用いて通常当選又は特定当選のいずれに該当するかを決定するものであり、
前記内部抽選手段により当選に該当し、かつ、前記特定当選に該当すると決定された場合、前記特別遊技の終了後に前記内部抽選で当選に該当すると決定される確率を通常時よりも高く変更した高確率状態に移行させる高確率状態移行手段をさらに備えたことを特徴とする遊技機。
【発明の詳細な説明】
【技術分野】
【０００１】
本発明は、遊技中に互いに異なる複数の事象が生じると、それぞれの事象ごとに別々の抽選要素を取得して内部抽選を実行する遊技機に係り、特に、内部抽選を実行する条件が満たされる前に事象が発生すると、取得した抽選要素を記憶しておく遊技機に関するものである。
【背景技術】
【０００２】
この種の遊技機に関する先行技術として、第一始動口に遊技球が入賞すると、第一大当り判定用乱数と第一大当り図柄用乱数とを抽出し、また、第二始動口に遊技球が入賞したことを検出すると、第二大当り判定用乱数と第二大当り図柄用乱数とを抽出して、これら乱数を抽出した順番（入賞の順番）に、合計記憶数１〜８個までの記憶領域に対応付けて記憶させる遊技機が知られている（例えば、特許文献１参照。）。この先行技術では、最も以前の入賞で抽出された各乱数が合計記憶数１個（先頭）の記憶領域に記憶されており、その次の入賞で抽出された各乱数は合計記憶数２個（２番目）の記憶領域、その次の入賞では合計記憶数３個（３番目）の記憶領域というように、入賞順に全部で８個（末尾）まで各乱数を記憶することができる。記憶された各乱数は、先頭の記憶領域から順番に読み出され、これに伴い、２番目以降の記憶領域は順番に先頭へ向けてシフト処理されるものとなっている。
【０００３】
また上記の先行技術では、第一始動口への入賞に対応して第一抽選を行うと第一特別図柄の変動を開始させ、また、第二始動口への入賞に対応して第二抽選を行うと第二特別図柄の変動を開始させている。このとき第一特別図柄又は第二特別図柄の変動表示は、先頭の記憶領域から順番に各乱数を読み出すことで入賞順に行われている。このため先行技術は、抽出した各乱数を記憶領域に記憶させるにあたり、各乱数が第一特別図柄に関するものであるのか、それとも第二特別図柄に関するものであるのかを示す「判別フラグ」を合わせて合計記憶数の値に対応する記憶領域に格納している。これにより、先頭の記憶領域から各乱数を読み出したとき、そこに合わせて記憶されている判別フラグの値に基づいて、第一特別図柄の変動表示を開始するべきか、それとも第二特別図柄の変動表示を開始するべきかを確実に判別することができると考えられる。
【特許文献１】特開２００７−２９２４２号公報（第１１−１６頁、第３４頁、図１８、図１９）
【発明の開示】
【発明が解決しようとする課題】
【０００４】
しかしながら、上記の先行技術は、記憶数の上限が４個（特別図柄が１つだけ）の遊技機と比較すると、記憶数が８個に増えている分、使用するＲＡＭの容量も２倍に増えている。その上、合計記憶数１〜８個までの記憶領域の全てに各乱数だけでなく、合わせて判別フラグを１つずつ記憶させる必要があるため、さらに余分な記憶容量が必要になるという問題がある（上記特許文献１の図１８を参照。）。
【０００５】
また先行技術に示されるように、異なる二つの入賞について別々に抽出された各乱数を共通の乱数記憶手段に記憶させる形態は、記憶の順番を入賞の順番に一致させやすいため、異なる図柄の変動を入賞の順番に開始する場合には適しているものの、それ以外の順番（例えば、一方の特別図柄を優先）で図柄を変動させようとすると、記憶領域のシフト処理が煩雑化するという問題がある。
【０００６】
すなわち、この場合は必ずしも先頭の記憶領域から各乱数を読み出すのではなく、図柄の種類で各乱数を読み出す必要がある。このため、例えば合計記憶数が８個ある記憶領域の中で、（１）先頭の記憶領域から順番に判別フラグの値を調べていき、（２）変動させたい方の図柄に対応する乱数であるか否かを１つ１つチェックし、（３）該当していた場合はその記憶領域から各乱数を読み出し、（４）各乱数を読み出した記憶領域が１〜７番目のいずれかであるか否かを確認し、（５）記憶領域が１〜７番目であれば、それ以降（２〜８番目）の記憶領域の内容をシフトさせ、（６）記憶領域が末尾（８番目）であればシフトしない、といった複雑な処理が必要となってしまう。
【０００７】
そこで本発明は、記憶容量の余分な増大を招くことなく、記憶内容のシフト処理を単純化しようとするものである。
【課題を解決するための手段】
【０００８】
本発明は、上記の課題を解決するため以下の手段を採用する。
解決手段１：本発明の遊技機は、遊技中に第１事象が生じたことを契機として、第１の抽選要素及び第１の当選種類決定要素をそれぞれ取得する第１の要素取得手段と、遊技中に第１事象とは別の第２事象が生じたことを契機として、第２の抽選要素及び第２の当選種類決定要素をそれぞれ取得する第２の要素取得手段と、第１の要素取得手段により取得された第１の抽選要素及び第１の当選種類決定要素を一組の抽選情報にした状態で、この抽選情報の組を所定の上限数まで記憶可能な容量を有した第１の記憶領域と、第２の要素取得手段により取得された第２の抽選要素及び第２の当選種類決定要素を一組の抽選情報にした状態で、この抽選情報の組を所定の上限数まで記憶可能な容量を有した第２の記憶領域と、遊技中に遊技者の利益に関わる内部抽選を実行するべき条件が未だ満たされていない状態で第１事象又は第２事象が発生すると、第１又は第２の記憶領域に対して抽選情報の組をそれぞれ上限数に達するまで記憶させる保留記憶手段と、第１又は第２の記憶手段に抽選情報が記憶されている状態で内部抽選を実行するべき条件が満たされると、第１又は第２の記憶領域に記憶された一組の抽選情報を所定の共通記憶領域に移し替えて記憶させる記憶移行手段と、記憶移行手段により一組の抽選情報が共通記憶領域に移し替えられると、その移し替えられた一組の抽選情報が少なくとも第１又は第２の抽選要素のいずれを含むものであるかを表す抽選要素識別情報を共通記憶領域内に合わせて記憶させる情報記憶手段と、記憶移行手段により共通記憶領域に移し替えられた一組の抽選情報及び情報記憶手段により共通記憶領域内に記憶された抽選要素識別情報を用いて内部抽選を実行する抽選実行手段とを備える。
また、前記情報記憶手段は、前記記憶移行手段により一組の前記抽選情報が前記共通記憶領域に移し替えられると、その移し替えられた一組の前記抽選情報が少なくとも前記第１又は第２の抽選要素のいずれを含むものであるかを表す抽選要素識別情報を前記第１の記憶領域、前記第２の記憶領域及び前記共通記憶領域とは別の記憶素子であるプロセッサ用のレジスタに記憶させる構成でもよい。そして、前記抽選実行手段は、前記記憶移行手段により前記共通記憶領域に移し替えられた一組の前記抽選情報及び前記情報記憶手段により前記レジスタに記憶された前記抽選要素識別情報を用いて前記内部抽選を実行する。
【０００９】
上記のように本発明では、第１の記憶領域と第２の記憶領域とは別に共通記憶領域を設けておき、内部抽選を実行するにあたり、第１の記憶領域又は第２の記憶領域から記憶内容（抽選情報）を共通記憶領域へ移し替えて使用する。このとき、移し替えた抽選情報が第１事象、第２事象のいずれを契機として取得されたものであるかは、抽選要素識別情報によって知ることができる。すなわち、第１の記憶領域から抽選情報を移し替えた場合、その抽選情報は第１の抽選要素を含むものであり、その旨が抽選要素識別情報の記憶に反映される。一方、第２の記憶領域から抽選情報を移し替えた場合、その抽選情報は第２の抽選要素を含むものであるから、同じくその旨を抽選要素識別情報の記憶に反映することができる。なお情報記憶手段は、共通記憶領域とは別に抽選要素識別情報の記憶（例えばフラグの形式）を持つ態様であってもよいし、あるいは、抽選要素と合わせて共通記憶領域内に抽選要素識別情報の記憶を書き込む態様であってもよい。また、本発明でいう「移し替える」とは、第１又は第２の記憶領域から抽選情報を抜き取って共通記憶領域に保存する態様だけでなく、第１又は第２の記憶領域から読み出した抽選情報を共通記憶領域に保存（コピー）して、後から第１又は第２の記憶領域の記憶を消去する態様も含まれる。
【００１０】
いずれにしても、共通記憶領域に移し替えた抽選情報を用いて内部抽選を実行するにあたり、その内部抽選が第１事象、第２事象のいずれについて行われるものであるのかは、抽選要素識別情報に基づいて容易に識別（判別）することができる。抽選要素識別情報の記憶は、１回の移し替えにつき１個だけ使用されるため、先行技術のように、それ以前から判別フラグ等として記憶しておく必要がない。このため本発明では、記憶領域に抽選要素及び当選種類決定要素を記憶させるにあたり、それが第１事象又は第２事象のいずれの発生を契機として取得されたものであるかを判別する情報（フラグ等）を一々関連付けて記憶させる必要がなく、それだけ記憶領域の容量（予め確保しておかなければならない容量）の増大を抑えることができる。
【００１１】
また本発明では、第１の記憶領域から共通記憶領域に抽選要素の記憶（例えば、最も以前の記憶）を移し替えた場合、第１の記憶領域内だけで残りの記憶を順番（記憶した順）にシフトすればよい。また、第２の記憶領域から共通記憶領域に抽選要素の記憶（同じく最も以前の記憶）を移し替えた場合、第２の記憶領域内だけで残りの記憶を順番（同じく記憶した順）にシフトすればよい。したがって、先行技術のような合計記憶数が８個もある乱数記憶手段の中でばらばらに記憶をシフトする必要がなく、その処理を極めて簡略化することができる。
すなわち本発明によれば、記憶領域として確保する必要がある容量を最小限に抑えることができる。また本発明は、記憶のシフト処理を簡略化することで、処理プログラムの記憶容量を低減することができ、さらには処理速度の向上（プログラム実行時間の短縮）をも図ることができる。
【００１２】
解決手段２：解決手段１において、本発明の遊技機は、上記の内部抽選が行われると、そのとき用いられた抽選情報に含まれている第１又は第２の抽選要素にそれぞれ対応した第１図柄又は第２図柄を変動表示させた後、内部抽選の結果を表す態様で第１又は第２図柄を停止表示させる図柄表示手段をさらに備えている。
【００１３】
解決手段２によれば、内部抽選が行われると、第１図柄又は第２図柄のいずれかを変動表示させた後、停止表示によって内部抽選の結果を表示することができる。このうち第１図柄は、第１事象の発生を契機として（第１の抽選要素を用いて）行われる内部抽選に対応し、第２図柄は、第２事象の発生を契機として（第２の抽選要素を用いて）行われる内部抽選に対応する。このように、事象別に第１図柄と第２図柄とを使い分けて変動させる場合、記憶領域から抽選情報をシフトしたときに、その抽選情報がいずれの事象に対応するものであるのかを正確に識別する必要があるが、上記のように抽選情報に対して一々判別フラグ等を記憶させておかなくても、本発明では抽選要素識別情報によって抽選情報がいずれの事象に対応するのかを確実に識別することができる。このため、共通記憶領域にシフトした抽選情報を用いて内部抽選を行った結果、それによって第１図柄又は第２図柄を的確に変動表示させることができる。
【００１４】
解決手段３：また本発明の遊技機は、解決手段２において、図柄表示手段により特定の当選態様で第１又は第２図柄が停止表示されると、通常とは異なる特別な条件が適用された特別遊技を実行する特別遊技実行手段をさらに備えてもよい。この場合、特別遊技実行手段は、第１の抽選要素を用いた内部抽選で当選した場合に特別遊技中に遊技者が享受できる利益よりも、第２の抽選要素を用いた内部抽選で当選した場合に特別遊技中に遊技者が享受できる利益を相対的に大きく設定するものとする。
【００１５】
この場合、第１事象の発生を契機として（第１の抽選要素を用いて）行われる内部抽選で当選した場合と、第２事象の発生を契機として（第２の抽選要素を用いて）行われる内部抽選で当選した場合のどちらについても「特別遊技」という価値が遊技者に対して与えられる。ただし、特別遊技中に遊技者が享受できる利益には差が設けられており、第１事象よりも第２事象の発生を契機として行われる内部抽選で当選したときの方が遊技者にとってメリットが大きい。このように、事象ごとに得られる利益の大きさに差が設けられていれば、遊技者に対して「利益の大きい方の事象をなるべく多く発生させよう」という明確な意識を持たせ、それによって遊技に対する意欲の低下を抑えることができる。
【００１６】
解決手段４：また解決手段３において、本発明は、第１及び第２の記憶領域に記憶された抽選情報の組数を記憶数としてそれぞれ個別に計数する記憶数カウント手段をさらに備えている。この場合、記憶移行手段は、記憶数カウント手段により第１及び第２の記憶領域の両方について１以上の記憶数が計数されている場合は第１の記憶領域よりも第２の記憶領域から優先的に抽選情報を移行させ、一方、第１又は第２の記憶領域のいずれかだけについて１以上の記憶数が計数されている場合は、その記憶数を有する第１又は第２の記憶領域から抽選情報を移行させる。
【００１７】
上記のように、事象別で遊技者が受ける利益の大きさに差が出てくる場合、遊技者は、自己にとってより有利な当選結果が得られる方の事象（第２事象）をなるべく多く発生させて、より利益の大きい当選が得られる方の図柄（第２図柄）を変動させることを狙って遊技を行う傾向にある。ただし、遊技中に各事象（第１事象、第２事象）は無作為に発生し、いずれかの事象だけを人為的に発生させることができない遊技形態であれば、両方の事象がそれぞれの期待値で発生することは致し方ない。特に、上記のように第１図柄や第２図柄がある程度の変動時間をかけて変動表示される態様（解決手段２）の場合、その変動時間内にも第１事象や第２事象が無作為に発生するため、否応にも第１事象、第２事象それぞれの発生を契機として抽選情報の記憶数が増えていくことになる。
【００１８】
この場合、先行技術のように入賞順で図柄を変動させると、遊技者が望まない方の図柄（第１図柄）も頻繁に変動することになり、かえって興趣の低下を招きやすい。なぜなら、第２図柄よりも第１図柄が先に変動して内部抽選に当選した場合、結果的に遊技者の受ける利益が小さくなる可能性があるからである。すなわち、せっかく当選しても、それによって得られる利益が小さいと、かえって遊技者の興趣を下げる結果になることがある。このような現象は、特に内部抽選の確率が向上している「高確率状態」の時などで顕著である（なお、「高確率状態」については解決手段５で言及。）。一般的に「高確率状態」では、あまり多くの抽選回数（図柄の変動回数）を待たずに次の当選が得られる可能性が高まっているので、遊技者は、なるべく利益の大きい方の当選を得たいと考える傾向にある。このような状況下において、遊技者の意に反して第１図柄が先に変動してしまうと、それによって利益が小さい当選になってしまう危惧が生じるばかりか、実際に利益の小さい当選結果に接すると、そこで一気に興趣が低下する。
【００１９】
そこで本発明では、第１事象、第２事象がそれぞれの期待値で発生し、両方の記憶数がある程度まで溜まっていても、遊技者にとってよりメリットが大きい方の内部抽選を優先して行い、遊技者が期待している方の図柄（第２図柄）を優先して変動させることとしている。具体的には、遊技中に第１事象、第２事象がともに発生し、その結果、第１の記憶領域、第２の記憶領域の両方に抽選情報が記憶されている場合は、先に第２の記憶領域から抽選情報を共通記憶領域にシフトさせて内部抽選を実行するのである。この結果、第２の記憶領域内で抽選情報の記憶が途切れない間は、第２図柄の方が優先的に変動することになるため、遊技者にとって興ざめとなる事態の発生を防止することができる。
【００２０】
解決手段５：解決手段２又は３において、内部抽選手段は、第１又は第２の抽選要素を用いて当選又は非当選のいずれに該当するかを決定し、そして当選に該当すると決定した場合、第１又は第２の当選種類決定要素を用いて通常当選又は特定当選のいずれに該当するかを決定する。この場合、本発明の遊技機は、内部抽選手段により当選に該当し、かつ、特定当選に該当すると決定された場合、特別遊技の終了後に内部抽選で当選に該当すると決定される確率を通常時よりも高く変更した高確率状態に移行させる高確率状態移行手段をさらに備える。
【００２１】
本発明において、内部抽選では単に当選／非当選を決めるだけでなく、当選の場合は少なくとも通常当選／特定当選を決める必要がある。このため上記のように、各事象の発生を契機として抽選要素と当選種類決定要素を取得しているのである。そして、取得した抽選要素と当選種類決定要素とを組（セット）にして記憶することで、これらを内部抽選においてセットで使用し、その事象に対して当選／非当選だけでなく、当選の場合に通常当選／特定当選の振り分けを間違いなく行うことができる。また、高確率状態移行手段を備えることで、特に解決手段４で述べたような「高確率状態」に移行したときの利点を最大限に引き出すことができる。
【発明の効果】
【００２２】
上記のように本発明によれば、記憶領域として確保する必要がある容量を抑えることができる。また本発明は、処理速度の向上（プログラム実行時間の短縮）をも図ることができる。
【発明を実施するための最良の形態】
【００２３】
以下、本発明の実施形態について、図面を参照しながら説明する。
図１は、パチンコ遊技機（以下、「パチンコ機」と略称する。）１の正面図である。パチンコ機１は、遊技球を遊技媒体として用いるものであり、遊技者は、遊技場運営者から遊技球を借り受けてパチンコ機１による遊技を行う。
【００２４】
〔遊技機の全体構成〕
パチンコ機１は、その本体として主に外枠ユニット２、ガラス枠ユニット４、受け皿ユニット６及び図示しない遊技機枠を備えている。このうち外枠ユニット２は、遊技場内の島設備（図示されていない）に対してねじ等の締結具を用いて固定されるものである。その他のガラス枠ユニット４や受け皿ユニット６、図示しない遊技機枠は外枠ユニット２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００２５】
遊技機枠の右側縁部には、その内側（裏側）に図示しない施錠ユニットが設けられており、これに対応してガラス枠ユニット４及び外枠ユニット２の右側縁部にも、それぞれ図示しない施錠具が設けられている。図１に示されるように、外枠ユニット２に対してガラス枠ユニット４及び遊技機枠が閉じた状態で、その施錠ユニットは施錠具とともにガラス枠ユニット４及び遊技機枠の開放を不能にしている。
【００２６】
受け皿ユニット６の右側縁部には鍵穴付きのシリンダ錠６ｃが設けられている。例えば、遊技場の管理者が専用キーを鍵穴に差し込んでシリンダ錠６ｃを時計回りに捻ると、施錠ユニットが作動して遊技機枠とともにガラス枠ユニット４及び受け皿ユニット６の開放が可能な状態となる。これら全体を外枠ユニット２から前面側へ開放する（扉のように動かす）と、パチンコ機１の裏側が露出することになる。パチンコ機１の裏側には、図示しない払出装置ユニットや発射装置ユニット等が設置されている他、パチンコ機１の電源系統や制御系統を構成する各種の電子機器類（制御コンピュータを含む）、接続端子等が設置されている。なお、電子機器類については別のブロック図（図２）に基づいてさらに後述する。
【００２７】
一方、シリンダ錠６ｃを反時計回りに捻ると、遊技機枠は施錠されたままでガラス枠ユニット４の施錠が外れ、ガラス枠ユニット４が開放可能となる。ガラス枠ユニット４を前面側へ開放すると遊技盤８が直に露出し、この状態で遊技場の管理者が盤面内での球詰まり等の障害を取り除くことができる。またガラス枠ユニット４を開放すると、受け皿ユニット６のロック機構（図示していない）が露出する。この状態でロック機構を解除すると、受け皿ユニット６を遊技機枠に対して前面側へ開放することができる。
【００２８】
またパチンコ機１は、遊技用ユニットとして遊技盤８を備えている。遊技盤８は、ガラス枠ユニット４の背後で図示しない遊技機枠に支持されている。遊技盤８は、例えばガラス枠ユニット４を前面側へ開放した状態で遊技機枠に対して着脱可能である。ガラス枠ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、ガラス枠ユニット４の裏側に図示しないヒンジ機構を介して開閉式に取り付けられる。遊技盤８の前面には遊技領域８ａ（盤面）が形成されており、この遊技領域８ａは窓４ａを通じて前面側から遊技者に視認可能である。ガラス枠ユニット４が閉じられると、ガラスユニットの内面と遊技盤面との間に遊技球が流下できる空間が形成される。
【００２９】
受け皿ユニット６の上面には、上皿６ａが形成されている。この上皿６ａには、遊技者に貸し出された遊技球（貸球）や入賞により獲得した遊技球（賞球）を貯留することができる。本実施形態のパチンコ機１はいわゆるＣＲ機（ＣＲユニットに接続する機種）であり、遊技者が借り受けた遊技球は、賞球とは別に払出装置ユニットから受け皿ユニット６（主に上皿６ａ）に払い出される。また受け皿ユニット６には、上皿６ａよりも下段位置に下皿６ｂが形成されている。この下皿６ｂには、上皿６ａに入りきらない遊技球か、もしくは上皿６ａから排出された遊技球を貯留することができる。
【００３０】
受け皿ユニット６の上面には、操作パネルユニット９が設置されており、この操作パネルユニット９には、球貸ボタン１０及び返却ボタン１２が配置されている。図示しないＣＲユニットに有価媒体（例えば磁気記録媒体、ＩＣメモリ内蔵媒体等）を投入した状態で、球貸ボタン１０を遊技者が操作すると、予め決められた度数単位（例えば５度数）に対応する個数（例えば１２５個）分の遊技球が貸し出される。操作パネルユニット９の上面には図示しない度数表示部が配置されており、この度数表示部には、有価媒体の残存度数が表示される。なお遊技者は、返却ボタン１２を操作することで、度数が残存している有価媒体の返却を受けることができる。さらに操作パネルユニット９には、演出用の押しボタン１４や上下左右の方向キー１５が設置されており、これら押しボタン１４や方向キー１５は、遊技中に適宜、遊技者が操作することができる。
【００３１】
受け皿ユニット６の左上部には上皿球抜きレバー６ｄが設置されており、また、下皿６ｂを囲む壁部分の前面には下皿球抜きレバー６ｅが設置されている。遊技者は上皿球抜きレバー６ｄを操作することで、上皿６ａに貯留された遊技球を下皿６ｂに流下させることができる。また遊技者は、下皿球抜きレバー６ｅを操作することで、下皿６ｂに貯留された遊技球を下方へ落下させて排出することができる。排出された遊技球は、例えば図示しない球受け箱等に受け止められる。
【００３２】
受け皿ユニット６の右下部には、グリップユニット１６が設置されている。遊技者はこのグリップユニット１６を操作することで図示しない発射装置ユニットを作動させ、遊技領域８ａに向けて遊技球を発射する（打ち込む）ことができる。発射された遊技球は、遊技盤８の左側縁部に沿って上昇し、図示しない外バンドに案内されて遊技領域８ａ内に放り込まれる。遊技領域８ａ内には多数の障害釘や風車（図中参照符号なし）が配置されており、放り込まれた遊技球は障害釘や風車により案内されながら遊技領域８ａ内を流下する。
【００３３】
〔盤面の構成〕
遊技領域８ａ内には、ゲート２０や普通入賞口２２，２４、上始動入賞口２６、可変始動入賞装置２８、可変入賞装置３０等が設置されている。遊技領域８ａ内に放り込まれた遊技球は、その流下の過程で無作為にゲート２０を通過したり、あるいは、普通入賞口２２，２４や上始動入賞口２６に入賞（流入）したりする。また可変始動入賞装置２８や可変入賞装置３０には、それぞれの作動時に遊技球の流入が可能な状態となる。ゲート２０を通過した遊技球は続けて遊技領域８ａ内を流下するが、入賞した遊技球は遊技盤８に形成された貫通穴を通じて裏側へ回収される。
【００３４】
なお、上記の可変始動入賞装置２８は、所定の条件が満たされた場合（普通図柄が所定の態様で停止表示された場合）に作動し、下始動入賞口２８ａへの入賞を可能にする（普通電動役物）。可変始動入賞装置２８は、例えば左右一対の可動片２８ｂを有しており、これら可動片２８ｂは、例えば図示しないソレノイドを用いたリンク機構の働きにより、盤面に沿って左右方向に往復動作する。図示のように先端が上を向いた状態で左右の可動片２８ｂは閉位置にあり、このとき下始動入賞口２８ａへの入賞は不能（遊技球が流入できる隙間がない状態）となっている。可変始動入賞装置２８が作動すると、左右の可動片２８ｂはそれぞれ閉位置から開放位置に向けて変位（拡開）し、下始動入賞口２８ａの開口幅を左右に拡大する。この間に可変始動入賞装置２８は遊技球の流入が可能な状態となり、下始動入賞口２８ａへの入賞を発生させる。なお、遊技盤８に設置されている障害釘の配列（ゲージ）は、可変始動入賞装置２８に向けて遊技球の流下を案内しやすい態様となっている。
【００３５】
また上記の可変入賞装置３０は、特定の条件が満たされた場合（特別図柄が特定の態様で停止表示された場合）に作動し、大入賞口（参照符号なし）への入賞を可能にする（特別電動役物）。可変入賞装置３０は、例えば１つの開閉部材３０ａを有しており、この開閉部材３０ａは、例えば図示しないソレノイドを用いたリンク機構の働きにより、盤面に対して前後方向に往復動作する。図示のように盤面に沿った状態で開閉部材３０ａは閉位置にあり、このとき大入賞口への入賞は不能（大入賞口は閉塞中）である。可変入賞装置３０が作動すると、開閉部材３０ａがその下端縁を中心として前方へ倒れ込むようにして変位し、大入賞口を開放する。この間に可変入賞装置３０は遊技球の流入が可能な状態となり、大入賞口への入賞を発生させる。なお、このとき開閉部材３０ａは大入賞口への遊技球の流入を案内する部材としても機能する。
【００３６】
その他、遊技領域８ａ内にはアウト口３２が形成されており、入賞しなかった遊技球は最終的にアウト口３２を通じて遊技盤８の裏側へ回収される。回収された遊技球は図示しない島設備の補給経路に合流する。
【００３７】
遊技盤８には、例えば窓４ａ内の右上位置に普通図柄表示装置３３と普通図柄作動記憶ランプ３３ａが設けられている他、第１特別図柄表示装置３４、第２特別図柄表示装置３６、第１作動記憶ランプ３４ａ、第２作動記憶ランプ３６ａ及び遊技状態表示装置３８が設けられている。このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。
【００３８】
第１特別図柄表示装置３４及び第２特別図柄表示装置３６は、例えば７セグメントＬＥＤ（ドット付き）により、それぞれ第１特別図柄、第２特別図柄の変動状態と停止状態とをそれぞれ表示することができる。また、第１作動記憶ランプ３４ａ及び第２作動記憶ランプ３６ａは、例えば２つのランプ（ＬＥＤ）の消灯又は点灯、点滅の組み合わせにより、それぞれ０〜４個の記憶数を表示する。例えば、ランプが全て消灯のときは記憶数０個を表示し、１つのランプが点灯すると記憶数１個を表示し、同じ１つのランプが点滅すると記憶数２個を表示し、この状態からもう１つのランプが点灯すると記憶数３個を表示し、そして２つのランプがともに点滅すると記憶数４個を表示する、といった具合である。本実施形態では、一方の作動記憶ランプ３４ａが第１特別図柄の作動記憶数を表し、他方の作動記憶ランプ３６ａが第２特別図柄の作動記憶数を表している。
【００３９】
また遊技状態表示装置３８には、例えば大当り種別表示ランプ（２ラウンド又は１５ラウンド）、確率変動状態表示ランプ、時間短縮状態表示ランプにそれぞれ対応する４つのランプ（ＬＥＤ）が含まれている。
【００４０】
本実施形態では、遊技盤８の大部分が透明な部材で構成されており、上記の普通図柄表示装置３３や第１特別図柄表示装置３４、第２特別図柄表示装置３６等は、いずれも透明な部材の背後（遊技者から容易に視認可能な位置）に設置されている。さらに遊技盤８の後側には、比較的大型の液晶表示器４０が設置されており、この液晶表示器４０には、第１又は第２特別図柄に対応させた演出図柄Ｄをはじめ、第１作動記憶ランプ３４ａ、第２作動記憶ランプ３６ａの表示に連動させた記憶数表示マーカＭ１，Ｍ２が表示される他、各種の演出画像が表示される。液晶表示器４０の表示画面は、透明な遊技盤８を透過して前面側から良好に視認可能である。
【００４１】
また遊技盤８には、その上縁部に沿って区画部材４２が設置されている。区画部材４２は、その上面が遊技球の流下方向を変化させる案内部材として機能し、遊技領域８ａ内に放り込まれた遊技球は、区画部材４２の上面に沿って左右いずれかに振り分けられる。遊技領域８ａ内の左側縁部にはワープ入口４４が設置されており、透明な遊技盤８の裏面側には、ワープ入口４４に通じる球案内通路４６が形成されている。球案内通路４６もまた透明な部材で構成されているため、それによって液晶表示器４０の視認性が阻害されることはないし、球案内通路４６を通過する遊技球は、遊技者から明瞭に視認可能である。
【００４２】
さらに遊技盤８には、その略中央から僅かに下寄りの位置に転動ステージ４８が形成されている。上記のワープ入口４４は遊技領域８ａ内にて上方に開口しており、遊技領域８ａ内を流下する遊技球が無作為にワープ入口４４内に流入すると、その遊技球は球案内通路４６を通じて転動ステージ４８上に放出される。転動ステージ４８の上面は滑らかな湾曲面を有しており、ここでは遊技球が左右方向に転動自在である。遊技盤８には、転動ステージ４８の前面側を開放するべく開口が形成されており、転動ステージ４８上を転動した遊技球は、やがて開口を通じて下方の遊技領域８ａ内に流下する。また、転動ステージ４８の中央位置には球放出路５０が形成されており、この球放出路５０は、遊技盤８の背後で転動ステージ４８の上面から下方に延び、さらに前方へ屈曲されて遊技盤８の前面にて開口している。転動ステージ４８から球放出路５０内に流下した遊技球は、前面の開口から放出されてくる。そして、放出された遊技球は、その真下にある上始動入賞口２６に入賞しやすくなる。なお、転動ステージ４８や球放出路５０を構成する部材もまた透明であるため、液晶表示器４０の視認性が阻害されることはないし、転動ステージ４８や球放出路５０を通過する遊技球は、遊技者から明瞭に視認可能である。
【００４３】
〔枠前面の構成〕
ガラス枠ユニット４には、演出用の構成要素としてガラス枠上ランプ５２やガラス枠左ランプ５４、ガラス枠右ランプ５６が設置されている。これらランプ５２，５４，５６は、例えば内蔵するＬＥＤの発光（点灯や点滅、輝度階調の変化、色調の変化等）による演出を実行する。またガラス枠ユニット４の上部には、左右一対の上スピーカ５８が内蔵されており、そして受け皿ユニット６の中央から僅かに右寄りの位置には下スピーカ６０が内蔵されている。これらスピーカ５８，６０は、効果音やＢＧＭ、音声等（音響全般）を出力して演出を実行するものである。
【００４４】
〔制御上の構成〕
次に、パチンコ機１の制御に関する構成について説明する。図２は、パチンコ機１に装備された各種の電子機器類を示すブロック図である。パチンコ機１は、制御動作の中枢となる主制御装置７０（主制御コンピュータ）を備え、この主制御装置７０は主に、パチンコ機１における遊技の進行を制御する機能を有する。主制御装置７０には、中央演算処理装置である主制御ＣＰＵ７２を実装した回路基板が装備されており、主制御ＣＰＵ７２は、図示しないＣＰＵコアやレジスタとともにＲＯＭ７４、ＲＡＭ（ＲＷＭ）７６等の半導体メモリを集積したＬＳＩとして構成されている。
【００４５】
また主制御装置７０には、乱数発生器７５やサンプリング回路７７が装備されている。このうち乱数発生器７５は、大当り判定用にハードウエア乱数（例えば１０進数表記で０〜６５５３５）を発生させるものであり、ここで発生された乱数は、サンプリング回路７７を通じて主制御ＣＰＵ７２に入力される。なお、本実施形態では大当り判定に第１特別図柄、第２特別図柄の２つの図柄を用いているため、これら図柄ごとに乱数発生器７５を設けてもよい。その他にも主制御装置７０には、図示しないクロック発生回路や入出力ドライバ（ＰＩＯ）、カウンタ／タイマ回路（ＣＴＣ）等の周辺ＩＣが装備されており、これらは主制御ＣＰＵ７２とともに回路基板上に実装されている。なお回路基板上には、信号伝送経路や電源供給経路、制御用バス等が配線パターンとして形成されている。
【００４６】
上述した始動ゲート２０には、遊技球の通過を検出するためのゲートスイッチ７８が一体的に設けられている。また遊技盤８には、上始動入賞口２６、可変始動入賞装置２８及び可変入賞装置３０にそれぞれ対応して上始動入賞口スイッチ８０、下始動入賞口スイッチ８２及び大入賞口スイッチ８４が装備されている。始動入賞口スイッチ８０，８２は、それぞれ上始動入賞口２６、可変始動入賞装置２８（下始動入賞口２８ａ）への遊技球の入賞を検出するためのものである。また大入賞口スイッチ８４は、可変入賞装置３０（大入賞口）への遊技球の入賞を検出するためのものである。同様に遊技盤８には、普通入賞口２２，２４への遊技球の入賞を検出する入賞口スイッチ８６が装備されている。これらスイッチ類７８〜８６の検出信号は、図示しない入出力ドライバを介して主制御ＣＰＵ７２に入力される。
【００４７】
上述した普通図柄表示装置３３や普通図柄作動記憶ランプ３３ａ、第１，第２特別図柄表示装置３４，３６、第１，第２作動記憶ランプ３４ａ，３６ａ及び遊技状態表示装置３８は、主制御ＣＰＵ７２からの制御信号に基づいて表示動作を制御されている。主制御ＣＰＵ７２は、遊技の進行状況に応じてこれら表示装置３４，３６，３８及びランプ３３ａ，３４ａ，３６ａに対する制御信号を出力し、各ＬＥＤの点灯状態を制御している。
【００４８】
また遊技盤８には、可変始動入賞装置２８及び可変入賞装置３０にそれぞれ対応して下始動口ソレノイド８８及び大入賞口ソレノイド９０が設けられている。これらソレノイド８８，９０は主制御ＣＰＵ７２からの制御信号に基づいて動作（励磁）し、それぞれ可変始動入賞装置２８、可変入賞装置３０を開閉動作（作動）させる。
【００４９】
パチンコ機１には、賞球払出制御装置９２が装備されている。この賞球払出制御装置９２（賞球払出制御コンピュータ）は、上述した払出装置ユニットの動作を制御する。賞球払出制御装置９２には、図示しない払出制御ＣＰＵを実装した回路基板が装備されており、この払出制御ＣＰＵもまた、図示しないＣＰＵコアとともにＲＯＭ、ＲＡＭ等の半導体メモリを集積したＬＳＩとして構成されている。賞球払出制御装置９２（払出制御ＣＰＵ）は、主制御ＣＰＵ７２からの賞球指示コマンドに基づいて払出制御ユニットの動作を制御し、要求された個数の遊技球の払出動作を実行させる。
【００５０】
上記の主制御装置７０とは別に、パチンコ機１は制御上の構成として演出制御装置９４（演出制御コンピュータ）を備えている。この演出制御装置９４は、パチンコ機１における遊技の進行に伴う演出の制御を行う。演出制御装置９４にもまた、中央演算処理装置である演出制御ＣＰＵ９６を実装した回路基板が装備されている。演出制御ＣＰＵ９６には、図示しないＣＰＵコアとともにメインメモリとしてＲＯＭ９８やＲＡＭ１００等の半導体メモリが内蔵されている。
【００５１】
また演出制御装置９４には、図示しない入出力ドライバや各種のＩＣが装備されている他、ランプ駆動回路１０２や音響駆動回路１０４が装備されている。演出制御ＣＰＵ９６は、主制御ＣＰＵ７２から送信される演出用のコマンドに基づいて演出の制御を行い、ランプ駆動回路１０２や音響駆動回路１０４に指令を与えて各種ランプを発光させたり、スピーカ５８，６０から実際に効果音や音声等を出力させたりする処理を行う。
【００５２】
ランプ駆動回路１０２は、例えば図示しないＰＷＭ（パルス幅変調）ＩＣやＭＯＳＦＥＴ等のスイッチング素子を備えており、このランプ駆動回路１０２は、ＬＥＤを含む各種ランプに印加する駆動電圧をスイッチング（又はデューティ切替）して、その発光・点滅等の動作を管理する。なお各種ランプには、上記のガラス枠上ランプ５２やガラス枠左ランプ５４、ガラス枠右ランプ５６の他に、遊技盤８に設置された装飾・演出用のランプ（参照符号なし）が含まれる。
【００５３】
また音響駆動回路１０４は、例えば図示しないサウンドＲＯＭや音響制御ＩＣ（ＤＳＰ）、アンプ等を内蔵したサウンドジェネレータであり、この音響駆動回路１０４は、上スピーカ５８及び下スピーカ６０を駆動して音響出力を行う。
【００５４】
上記の液晶表示器４０は遊技盤８の裏側に設置されているが、遊技盤８とは別体であり、遊技盤８を取り替える際（いわゆる盤替え時）に液晶表示器４０を合わせて交換する必要はない。遊技機枠の裏側には表示制御装置１１４が設置されており、液晶表示器４０による表示動作は、表示制御装置１１４により制御されている。表示制御装置１１４には、汎用の中央演算処理装置である表示制御ＣＰＵ１１６とともに、表示プロセッサであるＶＤＰ１２２を実装した回路基板が装備されている。このうち表示制御ＣＰＵ１１６は、図示しないＣＰＵコアとともにＲＯＭ１１８、ＲＡＭ１２０等の半導体メモリを集積したＬＳＩとして構成されている。またＶＤＰ１２２は、図示しないプロセッサコアとともに画像ＲＯＭ１２４やＶＲＡＭ１２６等の半導体メモリを集積したＬＳＩとして構成されている。なおＶＲＡＭ１２６は、その記憶領域の一部をフレームバッファとして利用することができる。
【００５５】
演出制御ＣＰＵ９６のＲＯＭ９８には、演出の制御に関する基本的なプログラムが格納されており、演出制御ＣＰＵ９６は、このプログラムに沿って演出の制御を実行する。演出の制御には、上記のように各種ランプやスピーカ５８，６０を用いた演出の制御が含まれる他、液晶表示器４０を用いた画像表示による演出の制御が含まれる。演出制御ＣＰＵ９６は、表示制御ＣＰＵ１１６に対して演出に関する基本的な情報（例えば演出パターン番号）を送信し、これを受け取った表示制御ＣＰＵ１１６は、基本的な情報に基づいて具体的に演出用の画像を表示する制御を行う。
【００５６】
表示制御ＣＰＵ１１６は、ＶＤＰ１２２に対してさらに詳細な制御信号を出力する。これを受け取ったＶＤＰ１２２は、制御信号に基づいて画像ＲＯＭ１２４にアクセスし、そこから必要な画像データを読み出してＶＲＡＭ１２６に転送する。さらにＶＤＰ１２２は、ＶＲＡＭ１２６上で画像データを１フレーム（単位時間あたりの静止画像）ごとにフレームバッファに展開し、ここでバッファされた画像データに基づき液晶表示器４０の各画素（フルカラー画素）を個別に駆動する。
【００５７】
その他、図示していないが、遊技機枠の裏側には電源制御ユニットが装備されている。この電源制御ユニットは島設備から外部電力（例えばＡＣ２４Ｖ等）を取り込み、そこから必要な電力（例えばＤＣ＋３４Ｖ、＋１２Ｖ等）を生成する。電源制御ユニットで生成された電力は、主制御装置７０や演出制御装置９４、賞球払出制御装置９２、表示制御装置１１４をはじめ、パチンコ機１の各所に供給される。
【００５８】
また、主制御ＣＰＵ７２は図示しない外部端子板を通じてパチンコ機１の外部に向けて外部情報（特別図柄変動開始情報、賞球払出要求情報、大当り中、確率変動機能作動中、時間短縮機能作動中といった遊技ステータス情報）を出力することができる。外部端子板から出力される信号は、例えば遊技場のホールコンピュータで集計される。
【００５９】
以上がパチンコ機１の制御に関する構成例である。続いて、主制御ＣＰＵ７２により実行される制御上の処理について説明する。
【００６０】
〔リセットスタート（メイン）処理〕
パチンコ機１に電源が投入されると、主制御ＣＰＵ７２はリセットスタート処理を開始する。リセットスタート処理は、前回の電源遮断時に保存されたバックアップ情報を元に遊技状態を復旧（いわゆる復電）したり、逆にバックアップ情報をクリアしたりすることで、パチンコ機１の初期状態を整えるための処理である。またリセットスタート処理は、初期状態の調整後にパチンコ機１の安定した遊技動作を保証するためのメイン処理（メイン制御プログラム）として位置付けられる。
【００６１】
図３及び図４は、リセットスタート処理の手順例を示すフローチャートである。以下、主制御ＣＰＵ７２が行う処理について、各手順を追って説明する。
【００６２】
ステップＳ１０１：主制御ＣＰＵ７２は、先ずスタックポインタにスタック領域の先頭アドレスをセットする。
【００６３】
ステップＳ１０２：続いて主制御ＣＰＵ７２は、ベクタ方式の割込モード（モード２）を設定し、デフォルトであるＲＳＴ方式の割込モード（モード０）を修正する。これにより、以後、主制御ＣＰＵ７２は任意のアドレス（ただし最下位ビットは０）を割込ベクタとして参照し、指定の割込ハンドラを実行することができる。
ステップＳ１０３：主制御ＣＰＵ７２は、マスクレジスタの初期設定を行う。
【００６４】
ステップＳ１０４：主制御ＣＰＵ７２は、先に退避しておいたＲＡＭクリアスイッチからの入力信号を参照し、ＲＡＭクリアスイッチが操作（スイッチＯＮ）されたか否かを確認する。ＲＡＭクリアスイッチが操作されていなければ（Ｎｏ）、次にステップＳ１０５を実行する。
【００６５】
ステップＳ１０５：主制御ＣＰＵ７２は、ＲＡＭ７６にバックアップ情報が保存されているか否か、つまり、バックアップ有効判定フラグがセットされているか否かを確認する。前回の電源遮断処理でバックアップが正常に終了し、バックアップ有効判定フラグ（例えば「Ａ５５ＡＨ」）がセットされていれば（Ｙｅｓ）、次に主制御ＣＰＵ７２はステップＳ１０６を実行する。
【００６６】
ステップＳ１０６：主制御ＣＰＵ７２は、ＲＡＭ７６のバックアップ情報についてサムチェックを実行する。チェック結果が正常であれば（Ｙｅｓ）、バックアップ有効判定フラグをリセット（例えば「００００Ｈ」）し、次に主制御ＣＰＵ７２はステップＳ１０７を実行する。
【００６７】
ステップＳ１０７：主制御ＣＰＵ７２は、演出制御復帰処理を実行する。この処理では、主制御ＣＰＵ７２は演出制御装置９４に対し、復帰用のコマンドを送信する。これを受けて演出制御装置９４は、前回の電源遮断時に実行中であった演出状態（例えば、演出図柄の表示態様、音響出力内容、各種ランプの発光状態等）を復帰させる。
【００６８】
ステップＳ１０８：主制御ＣＰＵ７２は、状態復帰処理を実行する。この処理では、主制御ＣＰＵ７２はバックアップ情報を元に、前回の電源遮断時に実行中であった遊技状態（例えば、特別図柄の表示態様、内部確率状態、作動記憶内容、各種フラグ状態、乱数更新状態等）を復帰させる。そして、バックアップされていたＰＣレジスタの値を復旧し、そのプログラムアドレスから処理を続行する。
【００６９】
一方、電源投入時にＲＡＭクリアスイッチが操作されていた場合（ステップＳ１０４：Ｙｅｓ）や、バックアップ有効判定フラグがセットされていなかった場合（ステップＳ１０５：Ｎｏ）、あるいは、バックアップ情報が正常でなかった場合（ステップＳ１０６：Ｎｏ）、主制御ＣＰＵ７２はステップＳ１０９に移行する。
【００７０】
ステップＳ１０９：主制御ＣＰＵ７２は、ＲＡＭ７６の記憶内容をクリアする。これにより、ＲＡＭ７６にバックアップ情報が保存されていても、その内容は消去される。
【００７１】
ステップＳ１１０：また主制御ＣＰＵ７２は、ＲＡＭ７６のバッファ領域に確保されているコマンド送信要求バッファをクリアする。
【００７２】
ステップＳ１１１：主制御ＣＰＵ７２は、演出制御出力処理を実行する。この処理では、主制御ＣＰＵ７２がリセット後に演出制御装置９４に送信するべきコマンド（演出制御に必要なコマンド）を出力する。
【００７３】
ステップＳ１１２：主制御ＣＰＵ７２は、ＣＴＣ初期化処理を実行し、周辺デバイスであるＣＴＣ（カウンタ／タイマ回路）の初期化を行う。そして主制御ＣＰＵ７２は、図４に示されるメインループに移行する（接続記号Ａ→Ａ）。
【００７４】
ステップＳ１１３，ステップＳ１１４：主制御ＣＰＵ７２は割込を禁止した上で、電源断発生チェック処理を実行する。この処理では、例えば周辺デバイスである電源監視ＩＣから入力される信号を参照し、電源遮断の発生（供給電圧の低下）を監視する。なお、電源遮断が発生すると、主制御ＣＰＵ７２はレジスタを退避し、ＲＡＭ７６全体の内容をバックアップして処理を停止（ＮＯＰ）する。電源遮断が発生しなければ、主制御ＣＰＵ７２は次にステップＳ１１５を実行する。なお、このような電源断発生時の処理をマスク不能割込（ＮＭＩ）処理としてＣＰＵに実行させている公知のプログラミング例もある。
【００７５】
ステップＳ１１５：主制御ＣＰＵ７２は、初期値更新乱数更新処理を実行する。この処理では、主制御ＣＰＵ７２は、各種のソフトウェア乱数の初期値を更新（変更）するための乱数をインクリメントする。本実施形態では、大当り決定乱数以外に各種の乱数をプログラム上で発生させている。これらソフトウェア乱数は、別の割込処理（図５中のステップＳ２０１）で所定範囲内のループカウンタにより更新されているが、この処理において乱数値が１巡するごとにループカウンタの初期値を変更している。初期値更新用乱数は、この初期値をランダムに変更するために用いられており、ステップＳ１１５では、その初期値更新用乱数の更新を行っている。なお、ステップＳ１１３で割込を禁止した後にステップＳ１１５を実行しているのは、別の割込処理（図５中のステップＳ２０２）でも同様の処理を実行するため、これとの重複（競合）を防止するためである。
【００７６】
ステップＳ１１６，ステップＳ１１７：主制御ＣＰＵ７２は割込を許可し、その他乱数更新処理を実行する。この処理で更新される乱数は、ソフトウェア乱数のうち大当り種別の判定に関わらない乱数（リーチ決定乱数、変動パターン決定乱数、はずれ図柄決定乱数等）である。この処理は、メインループの実行中にタイマ割込が発生して、後述の割込管理処理が実行される残り時間にて行われる。
【００７７】
ステップＳ１１８：次に主制御ＣＰＵ７２は、割込回数カウンタの値を参照し、ここまでに実行した割込処理が所定回数（例えば２回）を超えたか否かを判断する。割込回数カウンタの値が所定値を超えていなければ（Ｎｏ）、主制御ＣＰＵ７２はステップＳ１１３に戻る。一方、割込回数カウンタの値が所定値を超えていれば（Ｙｅｓ）、主制御ＣＰＵ７２は次にステップＳ１１９を実行する。これにより、メインループの実行中に少なくとも２回のタイマ割込が発生して後述の割込管理処理が実行されるとともに、さらに主制御ＣＰＵ７２は、タイマ割込が発生する残り時間にて電源断発生チェック処理（ステップＳ１１４）及び初期値更新乱数更新処理（ステップＳ１１５）を実行する。
【００７８】
ステップＳ１１９，ステップＳ１２０：主制御ＣＰＵ７２は、演出制御出力処理を実行する。この処理では、主制御ＣＰＵ７２が演出制御装置９４に送信するべきコマンド（演出制御に必要なコマンド）を出力する。また主制御ＣＰＵ７２は、ＲＡＭ７６のバッファ領域に確保されているポート出力要求バッファをクリアする。
【００７９】
ステップＳ１２１：次に主制御ＣＰＵ７２は、賞球払出処理を実行する。この処理では、別の割込処理（図５中のステップＳ２０３）において各種入賞口スイッチ８０，８２，８４，８６から入力された入賞検出信号に基づき、賞球払出制御装置９２に対して賞球個数を指示する賞球指示コマンドを出力する。
【００８０】
ステップＳ１２２，ステップＳ１２３：主制御ＣＰＵ７２は、メインループ中において特別図柄遊技処理及び普通図柄遊技処理を実行する。これら処理は、パチンコ機１における遊技を具体的に進行させるためのものである。このうち特別図柄遊技処理では、主制御ＣＰＵ７２は先に述べた第１，第２特別図柄表示装置３４，３６による変動表示や停止表示を制御したり、その表示結果に応じて可変入賞装置３０の作動を制御したりする。また普通図柄遊技処理では、主制御ＣＰＵ７２は先に述べた普通図柄表示装置３３による変動表示や停止表示を制御したり、その表示結果に応じて可変始動入賞装置２８の作動を制御したりする。例えば、主制御ＣＰＵ７２は別の割込管理処理（図５）の中で始動ゲート２０の通過を契機として取得した乱数（普通図柄当り決定乱数）を記憶しておく。そして主制御ＣＰＵ７２は、この普通図柄遊技処理の中で乱数値を読み出し、所定の当り範囲内に該当するか否かの判定を行う。乱数値が当り範囲内に該当する場合、普通図柄表示装置３３により普通図柄を変動表示させて所定の当り態様で普通図柄の停止表示を行った後、主制御ＣＰＵ７２は下始動口ソレノイド８８を励磁して可変始動入賞装置２８を作動させる。一方、乱数値が当り範囲外であれば、主制御ＣＰＵ７２は、変動表示の後にはずれの態様で普通図柄の停止表示を行う。なお、特別図柄遊技処理の詳細については、さらに別のフローチャートを用いて後述する。
【００８１】
ステップＳ１２４：次に主制御ＣＰＵ７２は、外部情報処理を実行する。この処理では、主制御ＣＰＵ７２は外部端子板を通じて遊技場のホールコンピュータに対して上記の外部情報を出力する。
【００８２】
ステップＳ１２５：また主制御ＣＰＵ７２は、メインループにおいて試験信号処理を実行する。この処理では、主制御ＣＰＵ７２が自己の内部状態（例えば、大当り中、確率変動機能作動中、時間短縮機能作動中、エラー発生中）を表す試験信号を生成し、これを主制御装置７０の外部に出力する。この試験信号により、例えば主制御装置７０の外部で主制御ＣＰＵ７２の内部状態を試験することができる。
【００８３】
ステップＳ１２６：次に主制御ＣＰＵ７２は、出力管理処理を実行する。この処理では、ＲＡＭ７６のバッファ領域に確保されているポート出力要求バッファを参照し、各種ソレノイド（下始動口ソレノイド８８、大入賞口ソレノイド９０）の励磁状態（ＯＮ又はＯＦＦ）を出力ポートに出力する。
【００８４】
なお本実施形態では、ステップＳ１１９〜ステップＳ１２６の処理をメインループ中に組み込んだ例を挙げているが、これら処理をＣＰＵがタイマ割込処理として実行している公知のプログラミング例もある。
【００８５】
〔割込管理処理（タイマ割込処理）〕
次に、割込管理処理（タイマ割込処理）について説明する。図５は、割込管理処理の手順例を示すフローチャートである。主制御ＣＰＵ７２は、カウンタ／タイマ回路からの割込要求信号に基づき、所定時間（例えば数ミリ秒）ごとに割込管理処理を実行する。以下、各手順を追って説明する。
【００８６】
ステップＳ２００：先ず主制御ＣＰＵ７２は、メインループの実行中に使用していたレジスタ（アキュムレータＡとフラグレジスタＦ、汎用レジスタＢ〜Ｌの各ペア）の値をＲＡＭ７６の退避領域に退避させる。値を退避させた後のレジスタ（Ａ〜Ｌ）には、割込管理処理の中で別の値が書き込まれる。
【００８７】
ステップＳ２０１：次に主制御ＣＰＵ７２は、抽選乱数更新処理を実行する。この処理では、主制御ＣＰＵ７２は抽選用の各種乱数を発生させるためのカウンタの値を更新する。各カウンタの値は、ＲＡＭ７６のカウンタ領域にてインクリメントされ、それぞれ規定の範囲内でループする。各種乱数には、例えば大当り図柄乱数、普通図柄当り決定乱数等が含まれる。なお、本実施形態では第１特別図柄、第２特別図柄の２つの図柄を用いているため、これら図柄ごとに大当り図柄乱数を発生させてもよい。この場合、さらに初期値更新用乱数を各図柄別に用意してもよい。
【００８８】
ステップＳ２０２：主制御ＣＰＵ７２は、ここでも初期値更新乱数更新処理を実行する。処理の内容は、先に述べたものと同じである。
【００８９】
ステップＳ２０３：主制御ＣＰＵ７２は、入力処理を実行する。この処理では、主制御ＣＰＵ７２は入出力ドライバ（ＰＩＯ）から各種スイッチ信号を入力する。具体的には、ゲートスイッチ７８からの通過検出信号や、上始動入賞口スイッチ８０、下始動入賞口スイッチ８２、大入賞口スイッチ８４、入賞口スイッチ８６からの入賞検出信号の入力状態（ＯＮ／ＯＦＦ）をリードする。
【００９０】
ステップＳ２０４：次に主制御ＣＰＵ７２は、スイッチ入力イベント処理を実行する。この処理では、先の入力処理で入力したスイッチ信号のうち、ゲートスイッチ７８、上始動入賞口スイッチ８０、下始動入賞口スイッチ８２からの検出信号に基づいて遊技中に発生した事象の判定を行い、それぞれ発生した事象に応じて、さらに別の処理を実行する。
【００９１】
本実施形態では、上始動入賞口スイッチ８０から入賞検出信号（ＯＮ）が入力されると、主制御ＣＰＵ７２は第１特別図柄に対応した抽選契機となる事象（第１事象）が発生したと判定する。また主制御ＣＰＵ７２は、下始動入賞口スイッチ８２から入賞検出信号（ＯＮ）が入力されると、第２特別図柄に対応した抽選契機となる事象（第２事象）が発生したと判定する。またゲートスイッチ７８から通過検出信号（ＯＮ）が入力されると、主制御ＣＰＵ７２は普通図柄に対応した抽選契機となる事象が発生したと判定する。いずれかの事象が発生したと判定すると、主制御ＣＰＵ７２は、それぞれの発生事象に応じた処理を実行する。なお、上始動入賞口スイッチ８０又は下始動入賞口スイッチ８２から入賞検出信号が入力された場合に実行される処理については、さらに別のフローチャートを用いて後述する。
【００９２】
ステップＳ２０５：次に主制御ＣＰＵ７２は、表示出力管理処理を実行する。この処理では、主制御ＣＰＵ７２は普通図柄表示装置３３、普通図柄作動記憶ランプ３３ａ、第１特別図柄表示装置３４、第２特別図柄表示装置３６、第１作動記憶ランプ３４ａ、第２作動記憶ランプ３６ａ、遊技状態表示装置３８等の点灯状態を制御する。具体的には、各ＬＥＤに対して印加する駆動信号（バイトデータ）を生成し、出力ポートから出力する。これにより、各ＬＥＤが所定の表示態様（図柄の変動表示や停止表示、作動記憶数表示、遊技状態表示等を行う態様）で駆動されることになる。
【００９３】
ステップＳ２０６：以上の処理を終えると、主制御ＣＰＵ７２は割込回数カウンタを更新する。このカウンタは、先に述べたメインループ中のステップＳ１１８で参照されるものである。
【００９４】
ステップＳ２０７，ステップＳ２０８：そして主制御ＣＰＵ７２は、退避しておいたレジスタ（Ａ〜Ｌ）の値を復帰し、割込を許可する。この後、主制御ＣＰＵ７２は、メインループ（スタックポインタで指示されるプログラムアドレス）に復帰する。
【００９５】
〔始動入賞処理〕
次に、上記のスイッチ入力イベント処理（ステップＳ２０４）中でさらに実行される処理について説明する。図６は、始動入賞処理の手順例を示すフローチャートである。以下、各手順を追って説明する。
【００９６】
ステップＳ１０：主制御ＣＰＵ７２は、第１特別図柄に対応する上始動入賞口スイッチ８０から入賞検出信号が入力されたか否かを確認する。この入賞検出信号の入力が確認された場合（Ｙｅｓ）、主制御ＣＰＵ７２は次のステップＳ１２を実行する。
【００９７】
ステップＳ１２：主制御ＣＰＵ７２は、第１特別図柄作動記憶数カウンタの値を参照し、作動記憶数が４未満であるか否かを確認する。作動記憶数カウンタは、ＲＡＭ７６の乱数記憶領域に記憶されている大当り決定乱数及び大当り図柄乱数の個数（組数）を表すものである。すなわち、ＲＡＭ７６の乱数記憶領域は各図柄（第１特別図柄、第２特別図柄）別で４つのセクション（例えば各２バイト）に分けられており、各セクションには大当り決定乱数及び大当り図柄乱数を１個ずつセット（組）で記憶可能である。このとき、第１特別図柄に対応する大当り決定乱数及び大当り図柄乱数のセットの記憶数が４個に達していなければ、第１特別図柄作動記憶数カウンタの値は４未満であり（Ｙｅｓ）、この場合、主制御ＣＰＵ７２は次のステップＳ１４に進む。このような第１特別図柄作動記憶数カウンタは、本実施形態において「記憶数カウント手段」としての機能を実現している。
【００９８】
ステップＳ１４：主制御ＣＰＵ７２は、第１特別図柄作動記憶数を１つ加算する。第１特別図柄作動記憶数カウンタは、例えばＲＡＭ７６の計数領域に記憶されており、主制御ＣＰＵ７２はその値をインクリメント（＋１）する。ここで加算されたカウンタの値に基づき、表示出力管理処理（図５中のステップＳ２０５）で第１作動記憶ランプ３４ａの点灯状態が制御されることになる。
【００９９】
ステップＳ１６：そして主制御ＣＰＵ７２は、サンプリング回路７７を通じて乱数発生器７５から第１特別図柄に対応する大当り決定乱数値を取得する（第１の抽選要素の取得）。乱数値の取得は、乱数発生器７５のピンアドレスを指定して行う。主制御ＣＰＵ７２が８ビット処理の場合、アドレスの指定は上位及び下位で１バイトずつ２回に分けて行われる。主制御ＣＰＵ７２は、指定したアドレスから大当り決定乱数値をリードすると、これを転送元のアドレスに第１特別図柄に対応する大当り決定乱数としてセーブする。
【０１００】
ステップＳ１７：次に主制御ＣＰＵ７２は、ＲＡＭ７６のカウンタ領域から第１特別図柄に対応する大当り図柄乱数値を取得する（第１の当選種類決定要素の取得）。この場合の乱数値の取得は、ＲＡＭ７６のアドレスを指定して行う。主制御ＣＰＵ７２は、指定したアドレスから大当り図柄乱数値をリードすると、これを転送元のアドレスに第１特別図柄に対応する大当り図柄乱数としてセーブする。
【０１０１】
ステップＳ１８：主制御ＣＰＵ７２は、セーブした大当り決定乱数及び大当り図柄乱数をともに第１特別図柄に対応する乱数記憶領域に転送し、これら乱数を領域内の空きセクションにセットで記憶させる。複数のセクションには順番（例えば第１〜第４）が設定されており、現段階で第１〜第４の全てのセクションが空きであれば、第１セクションから順に各乱数が記憶される。あるいは、第１セクションが既に埋まっており、その他の第２〜第４セクションが空きであれば、第２セクションから順に各乱数が記憶されていく。なお、ＲＡＭ７６に確保された乱数記憶領域と、そのセクション分けの構造については、別の図面を用いてさらに後述する。
【０１０２】
ステップＳ２０：主制御ＣＰＵ７２は、第１特別図柄始動口入賞フラグをセットする。なお、主制御ＣＰＵ７２はメインループに復帰すると、ここでセットしたフラグの値を参照して演出制御装置９４に始動口入賞音制御コマンドを送信し、また、賞球払出制御装置９２に賞球指示コマンドを送信する。
【０１０３】
以上の手順を終えるか、もしくは上始動入賞口スイッチ８０からの入賞検出信号の入力がなかった場合（ステップＳ１０：Ｎｏ）、あるいは第１特別図柄作動記憶数が４に達していた場合（ステップＳ１２：Ｎｏ）、主制御ＣＰＵ７２は次にステップＳ２２を実行する。
【０１０４】
ステップＳ２２：主制御ＣＰＵ７２は、第２特別図柄に対応する下始動入賞口スイッチ８２から入賞検出信号が入力されたか否かを確認する。この入賞検出信号の入力が確認されなかった場合（Ｎｏ）、ここで主制御ＣＰＵ７２は割込管理処理に復帰する。一方、入賞検出信号の入力が確認された場合（Ｙｅｓ）、主制御ＣＰＵ７２は次のステップＳ２４を実行する。
【０１０５】
ステップＳ２４：主制御ＣＰＵ７２は、第２特別図柄作動記憶数カウンタの値を参照し、作動記憶数が４未満であるか否かを確認する。第２特別図柄作動記憶数カウンタについても上記と同様に、ＲＡＭ７６の乱数記憶領域に記憶されている大当り決定乱数及び大当り図柄乱数の個数（組数）を表すものである。このような第２特別図柄作動記憶数カウンタもまた、本実施形態において「記憶数カウント手段」としての機能を実現する。このとき第２特別図柄作動記憶数カウンタの値が４に達していれば（Ｎｏ）、主制御ＣＰＵ７２は割込管理処理に復帰する。一方、未だ第２特別図柄作動記憶数カウンタの値が４未満であれば（Ｙｅｓ）、主制御ＣＰＵ７２は次のステップＳ２６に進む。
【０１０６】
ステップＳ２６：主制御ＣＰＵ７２は、第２特別図柄作動記憶数を１つ加算（第２特別図柄作動記憶数カウンタの値をインクリメント）する。
【０１０７】
ステップＳ２８：そして主制御ＣＰＵ７２は、乱数発生器７５から第２特別図柄に対応する大当り決定乱数値を取得する（第２の抽選要素の取得）。乱数値を取得する手法は、先に説明したステップＳ１６と同様である。
【０１０８】
ステップＳ２９：次に主制御ＣＰＵ７２は、ＲＡＭ７６のカウンタ領域から第２特別図柄に対応する大当り図柄乱数値を取得する（第２の当選種類決定要素の取得）。乱数値を取得する方法は、先に説明したステップＳ１７と同様である。
【０１０９】
ステップＳ３０：主制御ＣＰＵ７２は、セーブした大当り決定乱数及び大当り図柄乱数をともに第２特別図柄に対応する乱数記憶領域に転送し、これらを領域内の空きセクションにセットで記憶させる。記憶の手法は、先に説明したステップＳ１８と同様である。
【０１１０】
ステップＳ３２：主制御ＣＰＵ７２は、第２特別図柄始動口入賞フラグをセットする。以上の手順を終えると、主制御ＣＰＵ７２は割込管理処理に復帰する。
【０１１１】
〔特別図柄遊技処理〕
次に、メインループ中に実行される特別図柄遊技処理の詳細について説明する。図７は、特別図柄遊技処理の構成例を示すフローチャートである。特別図柄遊技処理は、実行選択処理（ステップＳ１０００）、特別図柄変動前処理（ステップＳ２０００）、特別図柄変動中処理（ステップＳ３０００）、特別図柄停止表示中処理（ステップＳ４０００）、大当り遊技処理（ステップＳ５０００）のサブルーチン群を含む構成である。ここでは先ず、各処理に沿って特別遊技管理処理の基本的な流れを説明する。
【０１１２】
ステップＳ１０００：実行選択処理において、主制御ＣＰＵ７２は次に実行するべき処理（ステップＳ２０００〜ステップＳ５０００のいずれか）のジャンプ先を選択する。例えば、主制御ＣＰＵ７２は次に実行するべき処理のプログラムアドレスを指定し、ジャンプ先と戻り先のアドレスとして特別図柄遊技処理の末尾を「ジャンプテーブル」にセットする。いずれの処理を次のジャンプ先として選択するかは、これまでに行われた処理の進行状況によって異なる。例えば、未だ第１特別図柄、第２特別図柄のいずれも変動表示を開始していない状況であれば、主制御ＣＰＵ７２は次のジャンプ先として特別図柄変動前処理（ステップＳ２０００）を選択する。一方、既に特別図柄変動前処理が完了していれば、主制御ＣＰＵ７２は次のジャンプ先として特別図柄変動中処理（ステップＳ３０００）を選択し、特別図柄変動中処理まで完了していれば、次のジャンプ先として特別図柄停止表示中処理（ステップＳ４０００）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。このようなプログラミング例では、ＣＰＵが一通り各処理をＣＡＬＬし、その先頭ステップで一々フラグを参照して条件分岐（継続／リターン）することになるが、本実施形態の選択手法では、主制御ＣＰＵ７２が各処理を一々呼び出す手間は不要である。
【０１１３】
ステップＳ２０００：特別図柄変動前処理では、主制御ＣＰＵ７２は第１特別図柄又は第２特別図柄の変動表示を開始するための条件を整える作業を行う。なお、具体的な処理の内容は、別のフローチャートを用いて後述する。
【０１１４】
ステップＳ３０００：特別図柄変動中処理では、主制御ＣＰＵ７２は変動タイマをカウントしつつ、第１特別図柄表示装置３４又は第２特別図柄表示装置３６の駆動制御を行う。具体的には、７セグメントＬＥＤの各セグメント及びドット（０番〜７番）に対してＯＮ又はＯＦＦの駆動信号（１バイトデータ）を出力する。駆動信号のパターンは時間の経過に伴って変化し、それによって第１特別図柄又は第２特別図柄の変動表示が行われる。
【０１１５】
ステップＳ４０００：特別図柄停止表示中処理では、主制御ＣＰＵ７２は第１特別図柄表示装置３４及び第２特別図柄表示装置３６の駆動制御を行う。ここでも同様に、７セグメントＬＥＤの各セグメント及びドットに対してＯＮ又はＯＦＦの駆動信号を出力するが、駆動信号のパターンは一定であり、これにより第１特別図柄及び第２特別図柄の停止表示が行われる。
【０１１６】
ステップＳ５０００：大当り遊技処理は、先の特別図柄停止表示中処理において大当りの態様で第１特別図柄又は第２特別図柄が停止表示された場合に選択される。第１特別図柄又は第２特別図柄のいずれかが大当りの表示態様で停止すると、それまでの通常状態から大当り遊技状態（遊技者にとって有利な遊技状態）に移行する。大当り遊技中は、大当り遊技処理において大入賞口ソレノイド９０が一定時間（例えば３０秒間又は９個の入賞をカウントするまで）、規定回数（例えば１５回）だけ励磁され、これにより可変入賞装置３０が決まったパターンで開放動作する（特別電動役物の連続作動）。この間に可変入賞装置３０に対して遊技球を集中的に入賞させることで、遊技者には、まとまって多くの賞球を獲得する機会が与えられる。なお、このように可変入賞装置３０が開放動作することを「ラウンド」と称し、規定回数が全部で１５回あれば、これを「１５ラウンド」と総称することがある。そして、大当り遊技を終了すると、主制御ＣＰＵ７２は、大当り遊技終了後の状態（高確率状態、時間短縮状態）を表す遊技状態別フラグをセットする。「高確率状態」になると確率変動機能が作動し、次の大当りが発生する確率が通常よりも高く（１０倍程度）なる。また、「高確率状態」になると時間短縮機能が作動し、第１特別図柄又は第２特別図柄の変動時間が全体的に短縮される。
【０１１７】
なお本実施形態において、大当りの内部抽選に関する図柄として第１特別図柄、第２特別図柄が設けられているのは、例えば以下のような遊技性を持たせるためである。すなわち、本実施形態では、第１特別図柄が大当りの表示態様で停止した場合と、第２特別図柄が大当りの表示態様で停止した場合とで、遊技者に付与される利益の大きさが異なる場合が設けられている。以下、この点について説明する。
【０１１８】
先ず、第１特別図柄、第２特別図柄のいずれについても、大当り種別が「確率変動大当り」となる比率は同じ（例えば５７％程度が「確率変動大当り」）である。ただし第１特別図柄については、「確率変動大当り」が「２ラウンド」の大当りになる場合がある（例えば、５７％のうちの１２％程度）。「２ラウンド」の大当りは、１回あたりの開放時間が比較的短く（例えば０．３秒間程度）、１回の開放動作が終了すると、所定のインターバル（例えば１〜２秒程度）をおいて２回目の開放動作を行い、それだけで終了してしまう。このため「２ラウンド」の大当りになっても、実質的に大入賞口への入賞は発生しないか、かろうじて遊技球１個の入賞が発生する程度でしかなく、大当り中に遊技者が獲得できる賞球数はほとんどないといえる。
【０１１９】
一方、第２特別図柄については、「確率変動大当り」は全て「１５ラウンド」の大当りになる。この場合、１回あたりの開放時間が比較的長く（上記のように３０秒間又は９個の入賞をカウントするまで）、１回の開放動作が終了すると、所定のインターバル（例えば１〜２秒程度）をおいて１５回分の開放動作を行った上で大当り遊技が終了する。このため「１５ラウンド」の大当りになると、集中的に大入賞口への入賞が発生し、それによって遊技者は短時間のうちに比較的多くの賞球（例えば入賞１個につき払い出し１４個）を獲得することができる。
【０１２０】
このため遊技者からみれば、第１特別図柄よりも第２特別図柄の方で大当たりになる方が全体的な利益は大きい。もちろん、第１特別図柄についても「確率変動大当り」が「１５ラウンド」の大当りになる場合もある（例えば、５７％のうちの４５％程度）が、「２ラウンド」の大当りになる可能性がある分、やはり第１特別図柄で大当りするよりも、第２特別図柄で大当りする方が安心感を覚えやすい傾向にある。
【０１２１】
そこで本実施形態では、第１特別図柄と第２特別図柄の両方について作動記憶がある場合、第１特別図柄よりも第２特別図柄の方を優先して変動表示させることで、遊技者に対する訴求力を高めている。以下、第２特別図柄の変動表示を優先する制御手法について説明する。
【０１２２】
〔特別図柄変動前処理〕
続いて、特別図柄変動前処理の詳細について説明する。図８は、特別図柄変動前処理の手順例を示すフローチャートである。以下、各手順に沿って説明する。
【０１２３】
ステップＳ２１００：先ず主制御ＣＰＵ７２は、第１特別図柄作動記憶数又は第２特別図柄作動記憶数が残存しているか（０より大であるか）否かを確認する。この確認は、ＲＡＭ７６に記憶されている作動記憶数カウンタの値を参照して行うことができる。第１特別図柄及び第２特別図柄の両方の作動記憶数が０であった場合（Ｎｏ）、主制御ＣＰＵ７２はステップＳ２５００のデモ設定処理を実行する。
【０１２４】
ステップＳ２５００：この処理では、主制御ＣＰＵ７２はデモ演出用コマンドを生成する。デモ演出用コマンドは、上記の演出制御出力処理（図４中のステップＳ１１９）において演出制御装置９４に出力される。デモ設定処理を実行すると、主制御ＣＰＵ７２は特別図柄遊技処理に復帰する。
【０１２５】
これに対し、いずれかの作動記憶数カウンタの値が０より大きければ（Ｙｅｓ）、主制御ＣＰＵ７２は次にステップＳ２２００を実行する。
【０１２６】
ステップＳ２２００：主制御ＣＰＵ７２は割込を禁止した上で、特別図柄記憶エリアシフト処理を実行する。この処理では、主制御ＣＰＵ７２はＲＡＭ７６の乱数記憶領域に記憶されている抽選用乱数（大当り決定乱数及び大当り図柄乱数）のセットのうち、第２特別図柄に対応する方を優先的に読み出す。このとき２つ以上のセクションに抽選用乱数のセット（抽選情報）が記憶されていれば、主制御ＣＰＵ７２は第１セクションから順に乱数のセットを読み出して、これを別の共通記憶領域に保存し、残った乱数のセットを１つずつ前のセクションに移動（シフト）させる。第２特別図柄に対応する乱数が記憶されていない場合のみ、第１特別図柄に対応する乱数を読み出して別の共通記憶領域に保存する。共通記憶領域に保存された各乱数は、次の大当り判定処理で内部抽選に使用される。その結果、本実施形態では第１特別図柄よりも第２特別図柄の変動表示が優先的に行われることになる。なお、特別図柄記憶エリアシフト処理の具体的な手順例については、別のフローチャートを用いてさらに後述する。
【０１２７】
ステップＳ２３００：主制御ＣＰＵ７２は、大当り判定処理を実行する。この処理では、主制御ＣＰＵ７２は、先のステップＳ２２２０で共通記憶領域に保存した各乱数を用いて大当りの抽選（内部抽選）を実行する。具体的には、主制御ＣＰＵ７２は大当り値の範囲を設定し、この範囲内に読み出した大当り決定乱数値が含まれるか否かを判断する。このとき設定される大当り値の範囲は、通常状態と高確率状態（確率変動状態）とで異なり、高確率状態では通常状態よりも大当り値の範囲が約１０倍程度に拡大される。このとき、読み出した大当り決定乱数値が大当り値の範囲内に含まれていれば、主制御ＣＰＵ７２は大当りフラグ（０１Ｈ）をセットし、次にステップＳ２４００に進む。なお、本実施形態ではプログラム上で大当り値の範囲を設定して大当り判定を行っているが、予め大当り判定テーブルをＲＯＭ７４に書き込んでおき、これを読み出して大当り決定乱数値と対比しながら大当り判定を行うプログラミング例もある。
【０１２８】
ステップＳ２４００：主制御ＣＰＵ７２は、先の大当り判定処理で大当りフラグに値（０１Ｈ）がセットされたか否かを判断する。大当りフラグに値（０１Ｈ）がセットされていなければ（Ｎｏ）、主制御ＣＰＵ７２は次にステップＳ２４０４を実行する。
【０１２９】
ステップＳ２４０４：主制御ＣＰＵ７２は、はずれ時停止図柄決定処理を実行する。この処理では、主制御ＣＰＵ７２はＲＡＭ７６の乱数更新領域から、はずれ図柄決定乱数を抽出し、その乱数値に基づいて第１特別図柄表示装置３４又は第２特別図柄表示装置３６による停止図柄（はずれ図柄）の表示態様を決定する。なお、先の特別図柄記憶エリアシフト処理で第２特別図柄に対応する大当り決定乱数及び大当り図柄乱数の記憶を優先してシフトしていた場合、ここで主制御ＣＰＵ７２は第２特別図柄表示装置３６による停止図柄の表示態様を決定する。一方、第１特別図柄に対応する大当り決定乱数の記憶をシフトしていれば、ここで主制御ＣＰＵ７２は第１特別図柄表示装置３４による停止図柄の表示態様を決定する。また主制御ＣＰＵ７２は、演出制御装置９４に送信するための停止図柄コマンド及び抽選結果コマンド（はずれ時）を生成する。これらコマンドは、演出制御出力処理（図４中のステップＳ１１９）において演出制御装置９４に送信される。
【０１３０】
ステップＳ２４０６：次に主制御ＣＰＵ７２は、はずれ時変動パターン決定処理を実行する。この処理では、主制御ＣＰＵ７２は、第１特別図柄又は第２特別図柄について、はずれ時の特別図柄の変動パターン番号を決定する。変動パターン番号は、第１特別図柄又は第２特別図柄の変動表示の種類（パターン）を区別したり、変動表示にかかる変動時間に対応したりするものである。なおリーチ変動を行う場合を除き、はずれ時の変動時間は、先の特別図柄記憶エリアシフト処理（ステップＳ２２００）で設定された「変動表示開始時作動記憶数（０個〜３個）」に基づいて決定される。なお、「変動表示開始時作動記憶数」の設定については、特別図柄記憶エリアシフト処理の具体的な内容とともに後述する。
【０１３１】
以上のステップＳ２４０４，ステップＳ２４０６は、大当り判定結果がはずれ時の制御手順であるが、判定結果が大当り（ステップＳ２４００：Ｙｅｓ）の場合、主制御ＣＰＵ７２は以下の手順を実行する。
【０１３２】
ステップＳ２４１０：主制御ＣＰＵ７２は、大当り時停止図柄決定処理を実行する。この処理では、主制御ＣＰＵ７２は確変決定値の範囲を設定し、この範囲内に大当り図柄乱数値が含まれるか否かを判断する。その結果、大当り図柄乱数値が確変決定値の範囲内に含まれていれば、主制御ＣＰＵ７２は大当り種別を「確変大当り」として決定する（特定当選）。逆に、大当り図柄乱数値が確変決定値の範囲外であれば、主制御ＣＰＵ７２は大当り種別を「非確変（通常）大当り」として決定する（通常当選）。また主制御ＣＰＵ７２は、大当り図柄乱数に基づいて大当り図柄（７セグメントＬＥＤ）の表示態様を決定する。なお、このときの表示態様は「確変大当り」と「非確変大当り」とで違ったものとなる。
【０１３３】
またステップＳ２４１０の処理において、第１特別図柄に対応する確変大当りについては、主制御ＣＰＵ７２は合わせてラウンド数の振り分けを行う。ラウンド数の振り分けは、例えば上記の確変決定値の範囲内にさらに「２ラウンド判定範囲」を設定し、この範囲内に大当り図柄乱数値が入っていれば、「確変大当り」を「２ラウンド」の大当りとして決定する。なお、大当り種別を「確変大当り」として決定した場合、主制御ＣＰＵ７２は確率変動フラグに値（０１Ｈ）をセットする。また主制御ＣＰＵ７２は、演出制御装置９４に送信する停止図柄コマンド及び抽選結果コマンド（大当り時）を生成する。これら停止図柄コマンド及び抽選結果コマンドもまた、演出制御出力処理において演出制御装置９４に送信される。
【０１３４】
ステップＳ２４１２：次に主制御ＣＰＵ７２は、当り時変動パターン決定処理を実行する。この処理では、主制御ＣＰＵ７２はＲＡＭ７６のカウンタ領域から上記の変動パターン決定乱数を取得すると、その値に基づいて第１特別図柄又は第２特別図柄の変動パターン（変動時間）を決定する。基本的に、当り時には大当りリーチ変動を行うため、この処理でリーチ決定乱数を用いない場合は、リーチ決定乱数の取得を省略してもよい。なお一般的に大当りリーチ変動の場合、はずれ時よりも長い変動時間が決定される。
【０１３５】
ステップＳ２４１４：次に主制御ＣＰＵ７２は、特別図柄変動開始処理を実行する。この処理では、主制御ＣＰＵ７２は変動パターン番号（はずれ時／当り時）に基づいて変動パターンデータを選択する。合わせて主制御ＣＰＵ７２は、ＲＡＭ７６のフラグ領域に第１特別図柄又は第２特別図柄の変動開始フラグをセットする。そして主制御ＣＰＵ７２は、演出制御装置９４に送信する変動開始コマンドを生成する。この変動開始コマンドもまた、上記の演出制御出力処理において演出制御装置９４に送信される。以上の手順を終えると、主制御ＣＰＵ７２は特別図柄遊技処理に復帰する。
【０１３６】
〔記憶領域，共通記憶領域〕
次に、先の始動入賞処理（図６）で取得した大当り決定乱数、大当り図柄乱数の記憶と、本発明において乱数の記憶をシフトする処理について説明する。
【０１３７】
先ず図９は、ＲＡＭ７６に確保されている各乱数の記憶領域の構造を概念的に示した図である。ＲＡＭ７６には、第１特別図柄に対応した乱数の記憶領域Ａ１（図中に「第１特別図柄記憶領域」と表記）とともに、第２特別図柄に対応した乱数の記憶領域Ａ２（図中に「第２特別図柄記憶領域」と表記）が確保されている他、共通記憶領域Ａｃが確保されている。以下、それぞれについて説明する。
【０１３８】
図９中（Ａ）：共通記憶領域Ａｃは、例えば３バイトの容量を持つメモリ空間であり、大きく２つのセクションに分かれている。このうち、先頭アドレスから１バイト分のセクションには、今回の図柄の変動が上始動入賞口２６又は下始動入賞口２８ａのいずれの入賞に対応したものであるかを示す情報（抽選要素識別情報）が記憶される。このため共通記憶領域Ａｃは、本実施形態において「情報記憶手段」としての機能を果たしている。なお、これ以降の処理（特別図柄記憶エリアシフト処理）では、このセクションの記憶を「始動入賞記憶０」として扱うものとする。そして、残りの２バイト分のセクションには、今回の変動で内部抽選に使用される大当り決定乱数及び大当り図柄乱数が記憶（シフト）されるものとなっている。これ以降の処理では、このセクションの記憶を「大当り決定乱数記憶０」及び「大当り図柄乱数記憶０」として扱うものとする。
【０１３９】
図９中（Ｂ）：第１特別図柄に対応した乱数の記憶領域Ａ１及び第２特別図柄に対応した乱数の記憶領域Ａ２は、いずれも８バイトずつの容量を持つメモリ空間である。各記憶領域Ａ１，Ａ２は、上記のように先頭アドレスから順に第１〜第４セクション（２バイトずつ）に分かれている。各セクションには、１回の入賞を契機に取得された大当り決定乱数及び大当り図柄乱数がセットで記憶される。また各記憶領域Ａ１，Ａ２は、特別図柄記憶エリアシフト処理において、その第１セクションの記憶内容が共通記憶領域Ａｃに移し替えて保存される他、第２〜第４セクションの記憶内容が１つずつ順番にシフトされるものとなっている。なお、記憶内容のシフトについては別のフローチャートを用いて後述する。
【０１４０】
ここで、先に述べた「第１特別図柄作動記憶数カウンタ」及び「第２特別図柄作動記憶数カウンタ」の値は、それぞれ記憶領域Ａ１，Ａ２内に各乱数がセットで記憶されている数、つまり、記憶が埋まっているセクションの数に対応している。例えば、記憶領域Ａ１の第１〜第４セクションまで全てが各乱数の記憶で埋まっていれば、第１特別図柄作動記憶数カウンタの値は「４」である。あるいは、記憶領域Ａ２の第１セクションと第２セクションだけに各乱数が記憶されており、その他の第３セクションと第４セクションが空きになっていれば、第２特別図柄作動記憶数カウンタの値は「２」となる。
【０１４１】
また先の始動入賞処理（図６）において、主制御ＣＰＵ７２が第１特別図柄に対応する大当り決定乱数及び大当り図柄乱数をそれぞれ取得すると（ステップＳ１６，ステップＳ１７）、これらを記憶領域Ａ１の第１セクションから順番にセットで記憶させる点（ステップＳ１８）は既に説明したとおりである。なお本実施形態では、これ以降の処理（特別図柄記憶エリアシフト処理）において、第１セクションに記憶された各乱数がそれぞれ「大当り決定乱数記憶１」、「大当り図柄乱数記憶１」として扱われる。同様に、第２〜第４セクションに記憶された各乱数は、それぞれ「大当り決定乱数記憶２〜４」、「大当り図柄乱数記憶２〜４」として扱われることになる。
【０１４２】
また第２特別図柄についても既に説明したように、始動入賞処理（図６）において主制御ＣＰＵ７２が第２特別図柄に対応する大当り決定乱数及び大当り図柄乱数をそれぞれ取得すると（ステップＳ２８，ステップＳ２９）、これらを記憶領域Ａ２の第１セクションから順番にセットで記憶させる（ステップＳ３０）。またこれ以降の処理（特別図柄記憶エリアシフト処理）では、第１〜第４セクションに記憶された各乱数は、それぞれ「大当り決定乱数記憶１〜４」、「大当り図柄乱数記憶１〜４」として扱われる。
【０１４３】
〔特別図柄記憶エリアシフト処理：記憶移行手段〕
図１０は、特別図柄記憶エリアシフト処理の手順例を示すフローチャートである。処理の大まかな流れについては既に述べたとおりであるが、以下、各手順に沿って処理の詳細を説明する。
【０１４４】
ステップＳ２２０２：主制御ＣＰＵ７２は、第２特別図柄作動記憶カウンタをロードする。
ステップＳ２２０４：そして主制御ＣＰＵ７２は、第２特別図柄作動記憶数カウンタの値が「０」であるか否かを確認する。上記のように、第２特別図柄作動記憶数カウンタの値を先に確認することで、第２特別図柄の変動を優先することができる。すなわち、第２特別図柄作動記憶数カウンタの値が１以上、つまり「０」でなければ（Ｎｏ）、主制御ＣＰＵ７２は次にステップＳ２２１６に進む。
【０１４５】
ステップＳ２２１６：主制御ＣＰＵ７２は、共通記憶領域Ａｃの最初のセクション、つまり「始動入賞記憶０」に第２特別図柄の始動であることを示す値「２」を設定する。具体的には、ＲＡＭ７６の共通記憶領域Ａｃの先頭アドレスを指定して、そこから１バイト分の領域を使って「０２Ｈ」を書き込む。
【０１４６】
ステップＳ２２１８：次に主制御ＣＰＵ７２は、第２特別図柄作動記憶数カウンタを「１」だけ減算する。これにより、上記の表示出力管理処理（図５中のステップＳ２０５）の中で第２作動記憶ランプ３６ａによる記憶数の表示態様が変化（１減少）する。また主制御ＣＰＵ７２は、減算後の値を第２特別図柄に対応する「変動表示開始時作動記憶数」に設定する。
【０１４７】
ステップＳ２２２０：主制御ＣＰＵ７２は、第２特別図柄に対応した乱数の記憶領域Ａ２から、その第１セクションの記憶内容（抽選情報）を読み出し、これを共通記憶領域に保存（ライト）する。
【０１４８】
ステップＳ２２２２：また主制御ＣＰＵ７２は、記憶領域Ａ２の第２セクション以降の記憶内容を順にシフトさせる。具体的には、第２セクションの記憶内容（抽選情報）を読み出し、これを第１セクションに上書きする（ライト）。これにより、それまで第１セクションに保存されていた記憶内容は消去されたことになる。以下同様に、主制御ＣＰＵ７２は第３セクションの記憶内容を第２セクションにシフトし、第４セクションの記憶内容を第３セクションにシフトする。
【０１４９】
ステップＳ２２２４：そして主制御ＣＰＵ７２は、記憶内容をシフトした結果、空き領域となったセクションに「０」をセットする。これにより、空き領域となったセクション記憶内容は全て０データで上書きされるので、新たに記憶の追加（始動口への入賞）がないまま続けて記憶内容のシフトが行われると、その１つ前のセクションが同じく０データで上書きされることになる。以上の手順を終えると、主制御ＣＰＵ７２は特別図柄変動前処理（図８）に復帰し、共通記憶領域の記憶内容を用いて大当り判定処理（ステップＳ２３００）以降を実行する。その結果、既に述べたように第２特別図柄の変動が優先的に行われることになる。
【０１５０】
これに対し、先のステップＳ２２０４で第２特別図柄作動記憶数カウンタの値が「０」であった場合（Ｙｅｓ）、主制御ＣＰＵ７２は次にステップＳ２２０６を実行する。
【０１５１】
ステップＳ２２０６：主制御ＣＰＵ７２は、共通記憶領域Ａｃの「始動入賞記憶０」に第１特別図柄の始動であることを示す値「１」を設定する。具体的には、ＲＡＭ７６の共通記憶領域Ａｃの先頭アドレスを指定して、そこから１バイト分の領域を使って「０１Ｈ」を書き込む。
【０１５２】
ステップＳ２２０８：次に主制御ＣＰＵ７２は、第１特別図柄作動記憶数カウンタを「１」だけ減算する。これにより、上記の表示出力管理処理（図５中のステップＳ２０５）の中で第１作動記憶ランプ３４ａによる記憶数の表示態様が変化（１減少）する。また主制御ＣＰＵ７２は、減算後の値を第１特別図柄に対応する「変動表示開始時作動記憶数」に設定する。
【０１５３】
ステップＳ２２１０：主制御ＣＰＵ７２は、第１特別図柄に対応した乱数の記憶領域Ａ１から、その第１セクションの記憶内容（抽選情報）を読み出し、これを共通記憶領域に保存（ライト）する。
【０１５４】
ステップＳ２２１２：また主制御ＣＰＵ７２は、記憶領域Ａ１の第２セクション以降の記憶内容を順にシフトさせる。具体的なシフトの方法は、先に説明したステップＳ２２２２と同様である。
【０１５５】
ステップＳ２２１４：そして主制御ＣＰＵ７２は、記憶内容をシフトした結果、空き領域となったセクションに「０」をセットする。
【０１５６】
〔図８：特別図柄変動前処理を参照〕
以上の手順を終えると、主制御ＣＰＵ７２は特別図柄変動前処理（図８）に復帰し、同じく共通記憶領域の記憶内容を用いて大当り判定処理（ステップＳ２３００）を実行する。この場合、乱数の記憶がある方の第１特別図柄の変動が行われ、第２特別図柄については乱数の記憶が途切れているため変動は行われない。
【０１５７】
また主制御ＣＰＵ７２は、例えば図８の大当り判定処理（ステップＳ２３００）以降において、適宜、共通記憶領域から「始動入賞記憶０」の値（「１」又は「２」）を参照して処理を実行することができる。例えば、次の大当り時停止図柄決定処理（ステップＳ２４１０）では、第１特別図柄で大当りした場合にラウンド数の振り分けを行う必要がある。このとき主制御ＣＰＵ７２は、共通記憶領域の「始動入賞記憶０」に「１」の値がセットされていれば、今回の大当りが第１特別図柄に対応するものであると判断し、ラウンド数の振り分けを行うことができる。これに対し、共通記憶領域の「始動入賞記憶０」に「２」の値がセットされていれば、主制御ＣＰＵ７２は今回の大当りが第２特別図柄に対応するものであると判断し、ラウンド数の振り分けを行うことなく処理を進行することができる。
【０１５８】
なお、ＲＡＭ７６の共通記憶領域Ａｃは、その他の記憶領域Ａ１，Ａ２と同様に電源断時にはバックアップの対象であり、新たに記憶内容が保存されるまでの間は、それまでの記憶内容を保持している。このため、電源断発生時に第１特別図柄又は第２特別図柄が停止した状態であっても、リセットスタート後に共通記憶領域の記憶内容をそのまま活用することができる。
【０１５９】
この後、上記のように主制御ＣＰＵ７２は、はずれ時変動パターン決定処理（ステップＳ２４０６）又は大当り時変動パターン決定処理（ステップＳ２４１２）において、それぞれ第１特別図柄又は第２特別図柄の変動パターンを決定すると、その決定した変動パターンに基づいて変動タイマの値をセットする。
【０１６０】
さらにこの後、主制御ＣＰＵ７２は特別図柄変動開始処理（ステップＳ２４１４）において、実際に第１特別図柄又は第２特別図柄の変動表示を開始させる。このとき第１特別図柄又は第２特別図柄の変動開始フラグをセットすると、主制御ＣＰＵ７２は特別図柄遊技処理（図７）に復帰したとき、その実行選択処理（ステップＳ１０００）で次のジャンプ先として特別図柄変動中処理を選択する。
【０１６１】
〔図７：特別図柄変動中処理，特別図柄停止表示中処理〕
主制御ＣＰＵ７２は変動タイマの値をレジスタからタイマカウンタにロードし、その後、時間の経過（クロックパルスのカウント数）に応じてタイマカウンタの値をデクリメントする。そして主制御ＣＰＵ７２は、タイマカウンタの値を参照しつつ、その値が０になるまで上記のように第１特別図柄又は第２特別図柄の変動表示を制御する。そして、タイマカウンタの値が０になると、主制御ＣＰＵ７２は停止図柄決定処理（図８中のステップＳ２４０４，ステップＳ２４１０）で決定した停止図柄に基づいて第１特別図柄又は第２特別図柄の停止表示を制御する。また主制御ＣＰＵ７２は、演出制御装置９４に送信する図柄停止コマンドを生成する。図柄停止コマンドは、上記の演出制御出力処理において演出制御装置９４に送信される。特別図柄停止表示中処理の中で停止図柄を所定時間にわたり表示させると、主制御ＣＰＵ７２は図柄変動中フラグを消去する。
【０１６２】
以上のように、パチンコ機１において大当りの内部抽選が行われると、主制御ＣＰＵ７２による制御の下で変動パターン（変動時間）を決定し、第１特別図柄や第２特別図柄が変動表示を行って、内部抽選の結果を表す態様で停止する。特に本実施形態では、記憶領域Ａ１，Ａ２の両方に各乱数の記憶がある場合、２ラウンドの大当りがない方の第２特別図柄の変動を優先して行っているため、それだけ遊技者に対する訴求力を高めることができる。
【０１６３】
特に、大当り遊技後の高確率・時短時になると、遊技者にとって大当りを連続して得られる可能性が高いチャンスであるため、この場合、遊技者は「２ラウンド」の大当りよりも「１５ラウンド」の大当りを潜在的に望む傾向にある。本実施形態では、高確率・時短時にも第２特別図柄の方をより頻繁に変動させることで、次の大当りが「２ラウンド」になる可能性を低くし、それによって遊技者に安心感を与えることができる。
【０１６４】
また本実施形態では、第１特別図柄、第２特別図柄にそれぞれ対応する乱数の記憶領域Ａ１，Ａ２ごとに「始動口入賞記憶１〜４」を４つずつ、合計８バイト分をわざわざ確保する必要がなく、１つの共通記憶領域に１バイト分（「始動口入賞記憶０」）だけ確保すればよいので、それだけＲＡＭ７６に確保する容量の増加を大幅に抑制することができる。
【０１６５】
また本実施形態のように、例えば第２特別図柄の変動を優先して行う遊技仕様を採用した場合であっても、記憶領域Ａ１，Ａ２別に作動記憶数カウンタを保持しているため、それぞれの値を参照して記憶領域Ａ１，Ａ２の記憶数を管理することで、記憶内容のシフトを簡略化することができるし、そのための処理時間を向上することができる。
【０１６６】
本発明は上述した一実施形態に制約されることなく、種々に変形して実施可能である。一実施形態では、共通記憶領域Ａｃに「始動口入賞記憶０」を記憶させているが、共通記憶領域にこのようなセクションを設けず、今回の変動について「始動口入賞記憶０」に相当するフラグをレジスタに記憶しておくこともできる（情報記憶手段の別例）。また、ＲＡＭ７６の記憶領域Ａ１，Ａ２と共通記憶領域Ａｃとは、物理的なアドレスが離れていてもよいし、あるいはアドレスが連続していてもよい。
【図面の簡単な説明】
【０１６７】
【図１】パチンコ機の正面図である。
【図２】パチンコ機に装備された各種の電子機器類を示すブロック図である。
【図３】リセットスタート処理の手順例を示すフローチャート（１／２）である。
【図４】リセットスタート処理の手順例を示すフローチャート（２／２）である。
【図５】割込管理処理の手順例を示すフローチャートである。
【図６】始動入賞処理の手順例を示すフローチャートである。
【図７】特別図柄遊技処理の構成例を示すフローチャートである。
【図８】特別図柄変動前処理の手順例を示すフローチャートである。
【図９】ＲＡＭに確保された記憶領域の構造を概念的に示した図である。
【図１０】特別図柄記憶エリアシフト処理の手順例を示すフローチャートである。
【符号の説明】
【０１６８】
１    パチンコ機
８    遊技盤
８ａ  遊技領域
２０    始動ゲート
２６    上始動入賞口
２８    可変始動入賞装置
２８ａ  下始動入賞口
３３    普通図柄表示装置
３３ａ  普通図柄作動記憶ランプ
３４    第１特別図柄表示装置
３４ａ  第１作動記憶ランプ
３６    第２特別図柄表示装置
３６ａ  第２作動記憶ランプ
７０    主制御装置
７２    主制御ＣＰＵ
７４    ＲＯＭ
７６    ＲＡＭ
【図１】
0005452855.tif 000002
【図２】
0005452855.tif 000003
【図３】
0005452855.tif 000004
【図４】
0005452855.tif 000005
【図５】
0005452855.tif 000006
【図６】
0005452855.tif 000007
【図７】
0005452855.tif 000008
【図８】
0005452855.tif 000009
【図９】
0005452855.tif 000010
【図１０】
0005452855.tif 000011